(57)【要約】  再生装置（１００）は、再生停止操作位置を示す第１のレジューム情報（Ｒ１）、並びに、再生動作の種類が切り替わったとき、再生情報のタイトル及び／又はチャプターが切り替わったとき、及び、所定の再生時間毎、の中の１つ以上の時点における再生位置を示す第２のレジューム情報（Ｒ２）を生成するレジューム情報生成部（１２１）と、第１のレジューム情報（Ｒ１）を取得するレジューム情報取得部（１２３）と、第２のレジューム情報（Ｒ２）を取得するレジューム情報自動取得手段（１２４）とを有し、レジューム再生時に、第１のレジューム情報（Ｒ１）が示す再生停止操作位置及び第２のレジューム情報（Ｒ２）が示す再生位置の中のいずれかの位置を選択し、選択された位置から再生を再開させる。
2010055624.tif 000002
【特許請求の範囲】
【請求項１】
映像音声信号を再生する再生手段と、
ユーザー指示が入力されるユーザー操作手段と、
再生開始位置を管理するレジューム機能手段と、
前記再生手段及び前記レジューム機能手段を制御する制御手段とを有し、
前記レジューム機能手段は、
前記ユーザー操作手段により再生停止が指示された時点における再生停止操作位置を示す第１のレジューム情報、並びに、再生動作の種類が切り替わったとき、再生情報が切り替わったとき、及び、所定の再生時間毎、の中の１つ以上の時点における再生位置を示す１又は複数の第２のレジューム情報を生成するレジューム情報生成手段と、
記憶手段と、
前記第１のレジューム情報を取得して、前記記憶手段に記憶させる第１のレジューム情報取得手段と、
前記１又は複数の第２のレジューム情報を取得して、前記記憶手段に記憶させる第２のレジューム情報取得手段とを有し、
前記制御手段は、前記第１のレジューム情報が示す前記再生停止操作位置及び前記１又は複数の第２のレジューム情報が示す前記再生位置の中のいずれかの位置を選択し、前記再生手段に前記選択された位置から再生を再開させる手段を有する
ことを特徴とする再生装置。
【請求項２】
前記再生動作の種類が切り替わったときは、再生、再生停止、早送り再生、巻き戻し再生、スロー再生、及びポーズを含む複数の動作種目の間の動作の切り替わりを含むことを特徴とする請求項１に記載の再生装置。
【請求項３】
前記再生情報が切り替わったときは、タイトルが切り替わったとき、チャプターが切り替わったとき、ＧＯＰ情報が切り替わったとき、アングルが切り替わったとき、及びピクチャーインピクチャーの表示・非表示が切り替わったときのいずれかを含むことを特徴とする請求項１又は２に記載の再生装置。
【請求項４】
前記再生を再開させる手段は、前記第１のレジューム情報が示す前記再生停止操作位置及び前記１又は複数の第２のレジューム情報が示す前記再生位置の中から、最後に生成されたレジューム情報に基づく位置から、前記再生を再開させることを特徴とする請求項１乃至３のいずれか１項に記載の再生装置。
【請求項５】
前記制御手段は、前記再生手段に、前記第１のレジューム情報が示す前記再生停止操作位置及び前記１又は複数の第２のレジューム情報が示す前記再生位置を再生再開候補位置として表示手段に表示させる手段と、前記ユーザー操作手段の操作によって、前記表示手段に表示された前記再生再開候補位置の中のいずれかを選択可能にする手段とを有し、
前記再生を再開させる手段は、前記ユーザー操作手段によって選択された前記再生再開候補位置から、前記再生を再開させる
ことを特徴とする請求項１乃至３のいずれか１項に記載の再生装置。
【請求項６】
前記レジューム機能手段は、前記第１のレジューム情報が、前記１又は複数の第２のレジューム情報のいずれかと一致するときに、前記第１のレジューム情報が示す前記再生停止操作位置を再生再開位置に決定するレジューム情報管理手段を有することを特徴とする請求項１乃至３のいずれか１項に記載の再生装置。
【請求項７】
前記再生装置の駆動電源がオンである時間を管理する電源時間管理手段を有し、
前記レジューム機能手段は、前記駆動電源がオンである時間が所定の基準時間より短いときに、直前の駆動電源オフ時に取得された前記第１のレジューム情報を再生停止操作位置として扱わない手段を有する
ことを特徴とする請求項１乃至６のいずれか１項に記載の再生装置。
【請求項８】
映像音声信号を再生する再生手段と、ユーザー指示が入力されるユーザー操作手段と、再生開始位置を管理するレジューム機能手段とを有する再生装置における再生方法であって、
前記ユーザー操作手段により再生停止が指示された時点における再生停止操作位置を示す第１のレジューム情報、並びに、再生動作の種類が切り替わったとき、再生情報が切り替わったとき、及び、所定の再生時間毎、の中の１つ以上の時点における再生位置を示す１又は複数の第２のレジューム情報を生成するステップと、
前記第１のレジューム情報を取得して、記憶手段に記憶させるステップと、
前記１又は複数の第２のレジューム情報を取得して、記憶手段に記憶させるステップと、
前記第１のレジューム情報が示す前記再生停止操作位置及び前記１又は複数の第２のレジューム情報が示す前記再生位置の中のいずれかの位置を選択し、前記再生手段に前記選択された位置から再生を再開させるステップと
を有することを特徴とする再生方法。
【請求項９】
前記再生動作の種類が切り替わったときは、再生、再生停止、早送り再生、巻き戻し再生、スロー再生、及びポーズを含む複数の動作種目の間の動作の切り替わりを含むことを特徴とする請求項８に記載の再生方法。
【請求項１０】
前記再生情報が切り替わったときは、タイトルが切り替わったとき、チャプターが切り替わったとき、ＧＯＰ情報が切り替わったとき、アングルが切り替わったとき、及びピクチャーインピクチャーの表示・非表示が切り替わったとき、映像を取得するカメラのアングルが切り替わったときのいずれかを含むことを特徴とする請求項８又は９に記載の再生方法。
【請求項１１】
前記再生を再開させるステップにおいて、前記第１のレジューム情報が示す前記再生停止操作位置及び前記１又は複数の第２のレジューム情報が示す前記再生位置の中から、最後に生成されたレジューム情報に基づく位置から、前記再生を再開させることを特徴とする請求項８乃至１０のいずれか１項に記載の再生方法。
【請求項１２】
前記第１のレジューム情報が示す前記再生停止操作位置及び前記１又は複数の第２のレジューム情報が示す前記再生位置を再生再開候補位置として表示手段に表示させるステップを有し、
前記再生を再開させるステップにおいて、前記ユーザー操作手段の操作によって、前記表示手段に表示された前記再生再開候補位置の中から選択された前記再生再開候補位置から、前記再生を再開させる
ことを特徴とする請求項８乃至１０のいずれか１項に記載の再生方法。
【請求項１３】
前記第１のレジューム情報が、前記１又は複数の第２のレジューム情報のいずれかと一致するときに、前記第１のレジューム情報が示す前記再生停止操作位置を再生再開位置に決定するステップを有することを特徴とする請求項８乃至１０のいずれか１項に記載の再生方法。
【請求項１４】
前記再生装置の駆動電源がオンである時間を管理するステップを有し、
前記再生を再開させるステップにおいて、前記駆動電源がオンである時間が所定の基準時間より短いときに、直前の駆動電源オフ時に取得された前記第１のレジューム情報を再生停止操作位置として扱わない
ことを特徴とする請求項８乃至１３のいずれか１項に記載の再生方法。
【請求項１５】
記録媒体から映像音声データを読み出す手段と、
前記映像音声データの再生処理を行う映像音声再生手段と、
レジュームポイントを表す情報、及びこれに関連する情報をレジューム情報として記憶するレジューム情報記録手段と、
再生処理実行中に、ユーザー操作による再生処理中断指示に応じて前記再生処理実行を中断した場合、再生処理を中断した箇所を示す情報を、レジュームポイントを示す情報として、これと関連する情報とともに手動レジューム情報として取得し、前記レジューム情報記録手段に保存させるレジューム情報取得手段と、
入力映像、音声、及びメタデータを解析し特徴点を検出し、特徴点のある位置を示す情報をレジュームポイントを示す情報として、これと関連する情報とともに、特徴点レジューム情報として取得し、前記レジューム情報記録手段に保存させる手段と、
再生の中断後、再生を再開する時に、前記レジューム情報記録手段に記憶された複数のレジューム情報に含まれるレジュームポイントのうちのいずれかを選択させ、選択されたレジュームポイントから再生を再開させる手段とを有する
再生装置。
【請求項１６】
入力映像の変化点及びユーザー操作を検知した箇所を示す情報をレジュームポイントを示す情報として、関連する情報とともに、自動レジューム情報として取得して、前記レジューム情報記録手段に保存させる手段をさらに有する
ことを特徴とする請求項１５に記載の再生装置。
【請求項１７】
再生を再開する時に、手動レジューム情報と自動レジューム情報と特徴点レジューム情報の中から最後に登録したレジューム情報を自動的に選択する管理手段と、
選択されたレジューム情報で示されるレジュームポイントから再生を再開する手段とをさらに有する
ことを特徴とする請求項１６に記載の再生装置。
【請求項１８】
再生を再開する時に、
複数の手動レジューム情報と
複数の自動レジューム情報と
複数の特徴抽出点からのレジューム情報の中から
手動で任意のレジューム情報を選択し、
選択したレジューム情報で示されるレジュームポイントから再生を再開する手段をさらに備えることを特徴とする請求項１６に記載の再生装置。
【請求項１９】
前記レジューム情報記録手段が、揮発性のメモリで構成され、
前記揮発性のメモリへの電源供給が遮断されたときに、前記揮発性のメモリ内のレジューム情報を、バックアップ電源を用いて不揮発性のメモリに記録する
ことを特徴とする請求項１６に記載の再生装置。
【請求項２０】
レジュームポイントを表す情報、及びこれに関連する情報をレジューム情報として記憶するレジューム情報記録手段を備えた再生装置を用いて実施される再生方法において、
記録媒体から映像音声データを読み出すステップと、
前記映像音声データの再生処理を行う映像音声再生ステップと、
再生処理実行中に、ユーザー操作による再生処理中断指示に応じて前記再生処理実行を中断した場合、再生処理を中断した箇所を示す情報を、レジュームポイントを示す情報として、これと関連する情報とともに手動レジューム情報として取得し、前記レジューム情報記録手段に保存させるレジューム情報取得ステップと、
入力映像、音声、及びメタデータを解析し特徴点を検出し、特徴点のある位置を示す情報をレジュームポイントを示す情報として、これと関連する情報とともに、特徴点レジューム情報として取得し、前記レジューム情報記録手段に保存させるステップと、
再生の中断後、再生を再開する時に、前記レジューム情報記録手段に記憶された複数のレジューム情報に含まれるレジュームポイントのうちのいずれかを選択させ、選択されたレジュームポイントから再生を再開させるステップとを有する
再生方法。
【請求項２１】
入力映像の変化点及びユーザー操作を検知した箇所を示す情報をレジュームポイントを示す情報として、関連する情報とともに、自動レジューム情報として取得して、前記レジューム情報記録手段に保存させるステップをさらに有する
ことを特徴とする請求項２０に記載の再生方法。
【請求項２２】
再生を再開する時に、手動レジューム情報と自動レジューム情報と特徴点レジューム情報の中から最後に登録したレジューム情報を自動的に選択する管理ステップと、
選択されたレジューム情報で示されるレジュームポイントから再生を再開するステップとを
さらに有することを特徴とする請求項２１に記載の再生方法。
【請求項２３】
再生を再開する時に、
複数の手動レジューム情報と
複数の自動レジューム情報と
複数の特徴抽出点からのレジューム情報の中から
手動で任意のレジューム情報を選択し、
選択したレジューム情報で示されるレジュームポイントから再生を再開するステップをさらに有することを特徴とする請求項２１に記載の再生方法。
【請求項２４】
前記レジューム情報記録手段が、揮発性のメモリで構成され、
前記揮発性のメモリへの電源供給が遮断されたときに、前記揮発性のメモリ内のレジューム情報を、バックアップ電源を用いて不揮発性のメモリに記録する
ことを特徴とする請求項２１に記載の再生方法。
【発明の詳細な説明】
【技術分野】
【０００１】
本発明は、映像及び／又は音声を再生する再生装置及び再生方法に関するものである。
【背景技術】
【０００２】
光ディスクの再生中にユーザーによって再生停止操作がなされると、読出しデータの時間情報をメモリに記憶し、その後、再生開始（レジューム再生）操作がなされると、メモリに記憶されている時間情報に基づく光ディスク上の位置から再生を再開するレジューム再生機能を持つ光ディスク再生装置が提案されている（例えば、特許文献１参照）。【０００３】
また、映像の再生停止操作の都度、再生停止位置情報をＨＤＤに書込み、レジューム再生時に、ＨＤＤから記憶されている再生停止位置情報を読出し、ユーザーによって選択された再生停止位置から映像の再生を再開するレジューム再生機能を持つ光ディスク再生装置も提案されている（例えば、特許文献２参照）。【０００４】
【特許文献１】特開平４−３４９２７０号公報（要約、図１及び図６）
【特許文献２】特開２００４−２０６７８４号公報（要約、段落００２３−００２５、図１乃至図３）
【発明の概要】
【発明が解決しようとする課題】
【０００５】
しかしながら、上記従来の再生装置においては、ユーザーによる再生停止操作が無かった場合、又は、再生開始位置となることが禁止されているレジューム再生禁止区間で再生停止操作がなされた場合、その後、再生開始（レジューム再生）が操作されても、再生停止操作位置から再生を再開することができないという問題がある。【０００６】
そこで、本発明は、上記従来技術の課題を解決するためになされたものであり、その目的は、レジューム再生時に、再生停止操作位置から再生を再開することができ、また、再生停止操作位置から再生を再開することができない場合であっても、記憶されているレジューム情報に基づく位置から再生を再開することができる再生装置及び再生方法を提供することにある。
【課題を解決するための手段】
【０００７】
本発明の再生装置は、映像音声信号を再生する再生手段と、ユーザー指示が入力されるユーザー操作手段と、再生開始位置を管理するレジューム機能手段と、前記再生手段及び前記レジューム機能手段を制御する制御手段とを有し、前記レジューム機能手段は、前記ユーザー操作手段により再生停止が指示された時点における再生停止操作位置を示す第１のレジューム情報、並びに、再生動作の種類が切り替わったとき、再生情報のタイトル及び／又はチャプターが切り替わったとき、及び、所定の再生時間毎、の中の１つ以上の時点における再生位置を示す１又は複数の第２のレジューム情報を生成するレジューム情報生成手段と、記憶手段と、前記第１のレジューム情報を取得して、前記記憶手段に記憶させる第１のレジューム情報取得手段と、前記１又は複数の第２のレジューム情報を取得して、前記記憶手段に記憶させる第２のレジューム情報取得手段とを有し、前記制御手段は、前記制御手段は、前記第１のレジューム情報が示す前記再生停止操作位置及び前記１又は複数の第２のレジューム情報が示す前記再生位置の中のいずれかの位置を選択し、前記再生手段に前記選択された位置から再生を再開させる手段を有することを特徴としている。【０００８】
また、本発明の再生方法は、映像音声信号を再生する再生手段と、ユーザー指示が入力されるユーザー操作手段と、再生開始位置を管理するレジューム機能手段とを有する再生装置における再生方法であって、前記ユーザー操作手段により再生停止が指示された時点における再生停止操作位置を示す第１のレジューム情報、並びに、再生動作の種類が切り替わったとき、再生情報が切り替わったとき、及び、所定の再生時間毎、の中の１つ以上の時点における再生位置を示す１又は複数の第２のレジューム情報を生成するステップと、前記第１のレジューム情報を取得して、記憶手段に記憶させるステップと、前記１又は複数の第２のレジューム情報を取得して、記憶手段に記憶させるステップと、前記第１のレジューム情報が示す前記再生停止操作位置及び前記１又は複数の第２のレジューム情報が示す前記再生位置の中のいずれかの位置を選択し、前記再生手段に前記選択された位置から再生を再開させるステップとを有することを特徴としている。【０００９】
また、本発明の他の再生装置は、記録媒体から映像音声データを読み出す手段と、前記映像音声データの再生処理を行う映像音声再生手段と、レジュームポイントを表す情報、及びこれに関連する情報をレジューム情報として記憶するレジューム情報記録手段と、再生処理実行中に、ユーザー操作による再生処理中断指示に応じて前記再生処理実行を中断した場合、再生処理を中断した箇所を示す情報を、レジュームポイントを示す情報として、これと関連する情報とともに手動レジューム情報として取得し、前記レジューム情報記録手段に保存させるレジューム情報取得手段と、入力映像、音声、及びメタデータを解析し特徴点を検出し、特徴点のある位置を示す情報をレジュームポイントを示す情報として、これと関連する情報とともに、特徴点レジューム情報として取得し、前記レジューム情報記録手段に保存させる手段と、再生の中断後、再生を再開する時に、前記レジューム情報記録手段に記憶された複数のレジューム情報に含まれるレジュームポイントのうちのいずれかを選択させ、選択されたレジュームポイントから再生を再開させる手段とを有することを特徴としている。
【発明の効果】
【００１０】
本発明によれば、レジューム再生時に、再生停止操作位置から再生を再開することができ、また、再生停止操作位置から再生を再開することができない場合であっても、記憶されているレジューム情報に基づく位置から再生を再開することができるという効果がある。
【図面の簡単な説明】
【００１１】
【図１】本発明の実施の形態１に係る再生装置の構成を概略的に示すブロック図である。
【図２】実施の形態１に係る再生装置のレジューム情報自動取得部の構成を概略的に示すブロック図である。
【図３】（Ａ）及び（Ｂ）は、実施の形態１に係る再生装置のレジューム情報自動取得部の動作の一例を示す図である。
【図４】実施の形態１に係る再生装置の記憶部に記憶されたデータの一例を示す図である。
【図５】実施の形態１に係る再生装置の動作（実施の形態１に係る再生方法）を概略的に示すフローチャートである。
【図６】本発明の実施の形態２に係る再生装置の構成を概略的に示すブロック図である。
【図７】（Ａ）及び（Ｂ）は、実施の形態２に係る再生装置のレジューム情報管理部が管理するデータの一例を示す図である。
【図８】実施の形態２に係る再生装置の動作（実施の形態２に係る再生方法）を概略的に示すフローチャートである。
【図９】本発明の実施の形態３に係る再生装置の構成を概略的に示すブロック図である。
【図１０】実施の形態３に係る再生装置の動作（実施の形態３に係る再生方法）を概略的に示すフローチャートである。
【図１１】（Ａ）及び（Ｂ）は、実施の形態３に係る再生装置の電源時間管理部が管理する時間を用いるレジューム情報の決定動作の一例を示す図である。
【図１２】本発明の実施の形態４に係る再生装置の構成を概略的に示すブロック図である。
【図１３】実施の形態４の特徴点抽出部のブロック図である。
【図１４】実施の形態４のレジューム情報自動取得の取得例の一例である。
【図１５】実施の形態４のレジューム情報記録部の記録データの一例である。
【図１６】実施の形態４の動作を示すフローチャートである。
【図１７】本発明の実施の形態５に係る再生装置の構成を概略的に示すブロック図である。
【図１８】（Ａ）〜（Ｄ）は、実施の形態５のレジューム情報管理部が管理するデータの一例である。
【発明を実施するための形態】
【００１２】
実施の形態１．
図１は、本発明の実施の形態１に係る再生装置１００の構成を概略的に示すブロック図である。図１に示されるように、実施の形態１に係る再生装置１００は、映像及び／又は音声（「映像音声」と言う。）信号を再生する再生手段１０１と、レジューム再生時における再生開始位置を管理するレジューム機能手段１０２と、再生手段１０１及びレジューム機能手段１０２を制御する再生制御部１０３と、ユーザー指示が入力されるユーザー操作部１０４とを有する。また、再生装置１００には、表示装置４０１が接続されている。再生装置１００は、例えば、光ディスク再生装置、ハードディスク再生装置、パーソナルコンピュータなどである。また、表示装置４０１は、再生装置１００に備えられた表示部であってもよい。
【００１３】
図１に示されるように、再生手段１０１は、情報読取部１１１と、ストリーム処理部１１２と、ストリーム制御部１１３と、デコーダー１１４と、再生情報制御部１１５とを有する。また、図１に示されるように、レジューム機能手段１０２は、レジューム情報生成部１２１と、レジューム情報制御部１２２と、第１のレジューム情報取得手段としてのレジューム情報取得部１２３と、第２のレジューム情報取得手段としてのレジューム情報自動取得部１２４と、記憶部１２５とを有する。なお、再生情報制御部１１５と、レジューム情報制御部１２２と、再生制御部１０３とは、装置全体を制御する制御手段として機能する。
【００１４】
情報読取部１１１は、図示しない情報記録媒体からストリーム（映像音声信号及び再生制御情報を含む。）Ｄ１を読み取ってストリーム処理部１１２に出力する。情報記録媒体は、例えば、光ディスク又はハードディスクなどである。情報読取部１１１は、例えば、光ディスク再生部又はハードディスクドライブ部（ＨＤＤ）などである。また、情報読取部１１１は、外部から入力されたストリームを出力する手段であってもよい。
【００１５】
ストリーム処理部１１２は、情報読取部１１１から受け取ったストリームＤ１に含まれる映像音声信号Ｄ２をストリーム制御部１１３へ出力し、再生制御情報Ｄ３を再生情報制御部１１５に出力する。
【００１６】
再生情報制御部１１５は、情報読取部１１１から受け取った再生制御情報Ｄ３の解析を行い、制御コマンドＣ１１５ａ，Ｃ１１５ｂを出力する。再生情報制御部１１５は、例えば、再生制御部１０３から再生、再生停止、早送り再生、巻き戻し再生、スロー再生、ポーズ、早送り、巻き戻しなどの動作種目（イベント）を要求する制御コマンドＣ１０３ａを受け取ったときに、再生制御情報Ｄ３に基づいて、制御コマンドＣ１１５ａをストリーム制御部１１３に出力する。
【００１７】
ストリーム制御部１１３は、再生情報制御部１１５からの制御コマンドＣ１１５ａに従って、デコーダー１１４へのストリームＤ４の転送動作を制御する。
【００１８】
デコーダー１１４は、ストリーム制御部１１３からのストリームＤ４をデコードし、表示装置４０１にデコードされた映像音声信号Ｄ５を供給する。
【００１９】
レジューム情報生成部１２１は、再生情報制御部１１５からの制御コマンドＣ１１５ｃに基づいてレジューム情報Ｒ０を生成する。レジューム情報生成部１２１は、レジューム再生に必要な情報であるレジューム情報を生成する。レジューム情報は、例えば、時間情報、タイトル情報、チャプター情報、プレイヤーの設定情報、ディスクの設定情報を含む情報である。レジューム情報Ｒ０は、ユーザー操作部１０４により再生停止が指示された時点における再生停止操作位置を示す第１のレジューム情報Ｒ１と、再生動作の種類が切り替わったとき、再生情報が切り替わったとき、及び、所定の再生時間毎、の中の１つ以上の時点における再生位置を示す１又は複数の第２のレジューム情報Ｒ２とを含む。ここで、再生動作の種類が切り替わったときは、例えば、再生、再生停止、早送り再生、巻き戻し再生、スロー再生、及びポーズを含む複数の動作種目の間の動作の切り替わりを含む。再生情報が切り替わったときは、例えば、タイトルが切り替わったとき、チャプターが切り替わったとき、ＧＯＰ情報が切り替わったとき、アングル（例えば、ユーザー側の操作で好きなアングルの映像を鑑賞できるマルチアングル（多角度）コンテンツにおけるアングル）が切り替わったとき、ピクチャーインピクチャー（ＰＩＰ）の表示・非表示が切り替わったときのいずれかのときを含む。
【００２０】
再生制御部１０３は、制御コマンドＣ１０３ａ，Ｃ１０３ｂ，Ｃ１０３ｃ，Ｃ１０３ｄを出力して、各モジュールに指示を行う。例えば、再生制御部１０３は、ユーザー操作部１０４から再生停止を示す制御コマンドＣ１０４を受信したときに、再生停止を意味する制御コマンドを出力する。また、再生制御部１０３は、ユーザー操作部１０４からレジューム再生を示す制御コマンドＣ１０４を受信したときに、再生手段１０１に、第１のレジューム情報Ｒ１が示す再生停止操作位置及び１又は複数の第２のレジューム情報Ｒ２が示す再生位置の中のいずれかの位置から、再生を再開させる。この場合、いずれの位置から再生を再開するかについては、後述するが、例えば、第１のレジューム情報が示す再生停止操作位置及び第２のレジューム情報が示す再生位置の中から、最後に生成されたレジューム情報に基づく位置から、再生を再開させるように構成してもよい。
【００２１】
ユーザー操作部１０４は、例えば、赤外線又は電波信号などの指令信号を発信するリモコン（図示せず）と、リモコンからの指令信号を受信し、受信した制御信号に応じた制御コマンドを再生制御部１０３に送信するユーザー操作制御部（図示せず）とから構成される。また、ユーザー操作部１０４は、再生装置１００の本体に備えられた操作部であってもよい。
【００２２】
レジューム情報取得部１２３は、レジューム情報生成部１２１から再生停止操作位置を示す第１のレジューム情報Ｒ１を取得して、記憶部１２５に記憶させる。ここで、再生停止操作位置には、ユーザー操作部１０４により再生停止が指示されたときの再生停止位置だけでなく、システム電源のオフによって再生が停止する場合における再生停止位置を含むように設定してもよい。
【００２３】
レジューム情報取得部１２３は、再生制御部１０３からレジューム情報取得要求の制御コマンドＣ１０３ｃを受け取ったときに、レジューム情報制御部１２２にレジューム情報取得要求の制御コマンドＣ１２３を出力する。実施の形態１においては、レジューム情報取得部１２３は、ユーザー操作による再生停止（電源オフによる再生停止を含む）などの所定の操作がなされたときに再生停止操作位置を示す第１のレジューム情報Ｒ１を取得し、記憶部１２５に記憶させる。
【００２４】
レジューム情報自動取得部１２４は、再生制御部１０３からレジューム情報取得要求の制御コマンドＣ１０３ｂを受け取ったときに、レジューム情報制御部１２２にレジューム情報取得要求の制御コマンドＣ１２４を出力する。実施の形態１においては、レジューム情報自動取得部１２４は、再生動作の種類が切り替わったとき、再生情報の種類（タイトル及び／又はチャプターなど）が切り替わったとき、及び、所定の再生時間毎、の中の１つ以上の時点における再生位置を示す１又は複数の第２のレジューム情報Ｒ２を取得し、記憶部１２５に記憶させる。例えば、レジューム情報自動取得部１２４は、再生制御部１０３から送られてくる再生制御情報を監視し、再生、再生停止、早送り再生、巻き戻し再生、スロー再生、ポーズなどのような再生動作の切り替わり、チャプター及び／又はタイトルなどの再生情報の切り替わり、時間の経過（一定時間ごとなど）の状態が変化したときに、レジューム情報生成部１２１から第２のレジューム情報Ｒ２を自動的に取得して、記憶部１２５に記憶させる。レジューム情報自動取得部１２４が取得した第２のレジューム情報Ｒ２は、レジューム情報番号を付けて記憶部１２５に記憶される。
【００２５】
レジューム情報制御部１２２は、レジューム情報取得部１２３からレジューム情報取得要求の制御コマンドＣ１２３が発行されたとき又はレジューム情報自動取得部１２４からレジューム情報取得要求の制御コマンドＣ１２４が発行されたときに、レジューム情報生成部１２１にレジューム情報取得要求の制御コマンドＣ１２２ａを送り、要求したレジューム情報（第１のレジューム情報Ｒ１又は第２のレジューム情報Ｒ２）を取得して、レジューム情報取得部１２３又はレジューム情報自動取得部１２４に供給する。また、レジューム情報制御部１２２は、再生制御部１０３からレジューム再生情報取得要求の制御コマンドＣ１０３ｄを受け取ったときに、レジューム情報（第１のレジューム情報Ｒ１又は第２のレジューム情報Ｒ２）を記憶部１２５から取得して再生制御部１０３に送る。
【００２６】
次に、実施の形態１に係る再生装置１００の動作を説明する。先ず、ユーザーは、ユーザー操作部１０４の再生ボタン（図示せず）を操作して再生開始指示を入力する。ユーザー操作部１０４は、入力された再生開始指示に基づく再生開始の制御コマンドＣ１０４を再生制御部１０３に出力し、再生制御部１０３は再生手段１０１及びレジューム機能手段１０２に制御コマンドを送り、これらの動作を制御する。
【００２７】
先ず、通常再生時の動作を説明する。通常再生時には、再生情報制御部１１５は、情報読取部１１１にデータ読出しの制御コマンドＣ１１５ｂを送り、情報読取部１１１はストリーム処理部１１２にストリームＤ１を送る。ストリーム処理部１１２は、ストリームＤ１を受け取り、映像音声信号Ｄ２をストリーム制御部１１３に、再生制御情報Ｄ３を再生情報制御部１１５に送る。再生情報制御部１１５は、再生制御情報Ｄ３に基づいて、再生に必要な制御コマンドＣ１１５ａをストリーム制御部１１３に送る。ストリーム制御部１１３は、デコーダー１１４にストリームを転送するための制御を行う。デコーダー１１４は、入力ストリームＤ４をデコードし、映像音声信号Ｄ５を表示装置４０１に送信し、表示装置４０１で映像が表示され、図示しないスピーカーから音声が出力される。
【００２８】
次に、レジューム再生時の動作を説明する。再生を中断している状態で、ユーザー操作部１０４から再生開始の操作がなされると、ユーザー操作部１０４は、再生用の制御コマンドＣ１０４を再生制御部１０３に送る。そして、再生制御部１０３は、レジューム情報を取得するための制御コマンドＣ１０３ｄをレジューム情報制御部１２２に送る。レジューム情報制御部１２２は、受信したレジューム情報取得の制御コマンド１０３ｄに従って、記憶部１２５に制御コマンドＣ１２２ｂを送り、記憶部１２５からレジューム情報（第１のレジューム情報Ｒ１又は第２のレジューム情報Ｒ２）を取得する。
【００２９】
再生制御部１０３は、記憶部１２５から読み出されたレジューム情報に基づいて、再生情報制御部１１５にレジューム再生を指示する制御コマンドＣ１０３ａを送る。再生情報制御部１１５は、情報読取部１１１にレジューム情報に基づく再生開始位置からストリームを出力させるための制御コマンドＣ１１５ｂを送る。情報読取部１１１はストリーム処理部１１２にレジューム情報に基づく再生開始位置からのストリームＤ１を送る。
【００３０】
ストリーム処理部１１２は、映像音声信号Ｄ２をストリーム制御部１１３に送り、再生制御情報Ｄ３を再生情報制御部１１５に送る。再生情報制御部１１５は、再生制御情報Ｄ３に基づいて、レジューム再生に必要なデータを含む制御コマンドＣ１１５ａをストリーム制御部１１３に送る。ストリーム制御部１１３は、デコーダー１１４へのストリームＤ４の転送制御を行う。デコーダー１１４は、デコードされた映像音声信号Ｄ５を表示装置４０１に送る。表示装置４０１は、デコードされた映像信号に基づく映像を表示する。
【００３１】
図２は、レジューム情報自動取得部１２４の構成の一例を概略的に示すブロック図である。図２に示されるように、レジューム情報自動取得部１２４は、イベント受信部１３１と、時間判定部１３２と、チャプター情報判定部１３３と、タイトル情報判定部１３４と、ＧＯＰ情報判定部１３５と、レジューム情報一時取得部１３６とを有する。
【００３２】
イベント受信部１３１は、再生制御部１０３から通知された再生制御情報Ｃ１０３ｂを受け取り、通知された再生制御情報Ｃ１０３ｂを時間判定部１３２、チャプター情報判定部１３３、タイトル情報判定部１３４、及びＧＯＰ情報判定部１３５に送信する。
【００３３】
時間判定部１３２は、再生開始からの経過時間である再生経過時間を元にレジューム情報を取得するか否かを判定する。時間判定部１３２は、例えば、予め設定された一定の時間間隔でレジューム情報を自動で取得する機能を持つ。時間判定部１３２は、一定の時間間隔でレジューム情報を自動で取得する機能を実現するために、通知された再生経過時間が、予め設定された一定の時間間隔の整数倍になる都度、レジューム情報一時取得部１３６にレジューム情報取得要求の制御コマンドＣ１３２を送る。
【００３４】
チャプター情報判定部１３３は、現在再生している映像のチャプター情報を元にレジューム情報を取得するか否かを判定する。チャプター情報判定部１３３は、例えば、現在再生している映像のチャプターが変化したときに、レジューム情報を自動で取得する機能を持つ。チャプター情報判定部１３３は、現在再生している映像のチャプターが変化したときに、レジューム情報を自動で取得する機能を実現するために、現在再生している位置におけるチャプターと次に再生制御情報の通知のあったときのチャプターが違っていれば、レジューム情報一時取得部１３６にレジューム情報取得要求の制御コマンドＣ１３３を送る。
【００３５】
タイトル情報判定部１３４は、現在再生している映像のタイトル情報を元にレジューム情報を取得するか否かを判定する。タイトル情報判定部１３４は、例えば、現在再生している映像のタイトルが変化したときに、レジューム情報を自動で取得する機能を持つ。タイトル情報判定部１３４は、タイトルが変化したときにレジューム情報を自動で取得する機能を実現するために、現在再生している位置におけるタイトルと次に再生制御情報の通知のあったときのタイトルが違っていれば、レジューム情報一時取得部１３６にレジューム情報取得要求の制御コマンドＣ１３４を送る。
【００３６】
ＧＯＰ情報判定部１３５は、現在再生している映像のＧＯＰ情報を元にレジューム情報を取得するか否かを判定する。ＧＯＰ情報判定部１３５は、例えば、現在再生している映像のＧＯＰが変化したときにレジューム情報を自動で取得する機能を持つ。ＧＯＰ情報判定部１３５は、現在再生している映像のＧＯＰが変化したときにレジューム情報を自動で取得する機能を実現するために、現在再生している位置におけるＧＯＰ情報と次に再生制御情報の通知のあったときのＧＯＰ情報が違っていれば、レジューム情報一時取得部１３６にレジューム情報取得要求の制御コマンドＣ１３５を送る。
【００３７】
レジューム情報一時取得部１３６は、受け取った制御コマンドＣ１３２，Ｃ１３３，Ｃ１３４，Ｃ１３５に応じた第２のレジューム情報Ｒ２を取得するように制御コマンドＣ１２４をレジューム情報制御部１２２に送る。
【００３８】
図２の説明においては、第２のレジューム情報Ｒ２を自動で取得する場合として、再生情報が切り替わった場合（ストリームの状態が変化した場合）を説明したが、ストリームの状態の変化には、時間情報の変化、チャプターの切り替わり、タイトルの切り替わりを含む。また、ストリームの状態の変化には、ユーザー操作によってストリームの状態が変化したとき、例えば、再生、停止、早送り再生、巻き戻し再生、スロー再生、ポーズ、早送り、巻き戻しなどの間の切り替わりを含んでもよい。また、ストリームの状態の変化には、映像撮影のアングルが切り替わったとき、ピクチャーインピクチャー（ＰＩＰ）が表示又は非表示されたときなどを含んでもよい。また、レジューム情報自動取得部１２４は、時間判定部１３２、チャプター判定部１３３、タイトル情報判定部１３４、ＧＯＰ情報判定部１３５のすべてを含まない構成であってもよく、これらの幾つかを選択的に含む構成としてもよい。
【００３９】
図３（Ａ）及び（Ｂ）は、実施の形態１に係る再生装置１００のレジューム情報自動取得部１２４の動作の一例を示す図である。図３（Ａ）及び（Ｂ）は、情報読取部１１１で読取られたストリームに対して、時間間隔一定で自動的に第２のレジューム情報Ｒ２を取得する動作を示している。図３（Ａ）及び（Ｂ）において、横軸は時間を示し、区間ＰＡ及び区間ＰＣは、レジューム情報を取得することが許可されている取得可能区間（レジューム再生可能区間）を示し、区間ＰＢは、レジューム情報を取得することが禁止されている取得禁止区間（レジューム再生禁止区間）を示す。区間ＰＢにおいてレジューム情報の取得が禁止される状況は、種々存在するが、例えば、ＤＶＤビデオディスクにおいてユーザー操作に基づくレジューム再生時に再生開始位置になることが禁止されている区間である場合がある。また、図３（Ａ）及び（Ｂ）において、「○」印は、一定の時間間隔で第２のレジューム情報Ｒ２を自動取得できる時点を示し、「×」印は、第２のレジューム情報Ｒ２を自動取得できない時点を示している。
【００４０】
図３（Ａ）に示される例では、ストリームの再生中に、レジューム情報自動取得部１２４は、区間ＰＡ及び区間ＰＣで、一定の時間間隔で第２のレジューム情報Ｒ２を自動取得できるが、区間ＰＢでは、第２のレジューム情報Ｒ２を自動取得できない。また、レジューム再生可能区間である区間ＰＡ及び区間ＰＣで、再生停止処理が発生すると、第１のレジューム情報Ｒ１を取得できるが、レジューム再生禁止区間である区間ＰＢで再生停止処理が発生しても、第１のレジューム情報Ｒ１を取得できない。このように、区間ＰＢでは、レジューム情報を取得できないので、その後、ユーザー操作によってレジューム再生を要求しても、レジューム情報取得部１２３によって取得されたレジューム情報が示す再生停止操作位置から再生を再開できない。しかし、図３（Ｂ）に示されるように、第２のレジューム情報Ｒ２を時間間隔一定で自動取得しておけば、レジューム再生禁止区間である区間ＰＢの直前の区間ＰＡの終わりの時点ｔＡの第２のレジューム情報Ｒ２が記憶されている。このため、ユーザー操作によってレジューム再生が指示されたときに、レジューム再生可能区間である区間ＰＡの最後の時点ｔＡをレジュームポイントとして再生を開始することができる。すなわち、再生停止操作がレジューム情報の取得禁止区間で行なわれた場合であっても、再生停止操作位置に近い取得禁止区間の直前の位置から再生を再開することができる。
【００４１】
図４は、実施の形態１に係る再生装置１００の記憶部１２５にレジューム情報自動取得部１２４によって記憶された第２のレジューム情報Ｒ２の一例を示す図である。図４に示される例において、記憶部１２５に記憶された第２のレジューム情報Ｒ２の各々は、タイトル番号、チャプター番号、再生時間情報、レジューム番号を含む。図４に示される例においては、最も新しいレジューム情報から順に、レジューム番号１，２，３，４を付与している。なお、図４には示していないが、記憶部１２５に記憶されるレジューム情報に、再生している再生装置の設定情報、情報記録媒体としての光ディスクの設定情報などを記録しておけば、レジューム再生による再生再開時に、同じ設定で再生を再開することが可能になる。
【００４２】
図５は、実施の形態１に係る再生装置１００の動作（実施の形態１に係る再生方法）を概略的に示すフローチャートである。まず、再生装置（「システム」とも言う。）１００に電源が投入されると、システムが起動される（ステップＳ１０１）。システム起動後、再生制御部１０３は、システム電源の停止（「システム終了」とも言う。）の確認を行い（ステップＳ１０２）、システム終了の要求（電源オフ操作）が有れば、システム終了の処理を行なう（ステップＳ１０３）。また、再生制御部１０３は、システム終了の確認において（ステップＳ１０２）、システム終了の要求が無ければ、レジューム情報自動取得部１２４によるレジューム情報自動取得機能を起動させる（ステップＳ１０４）。なお、レジューム情報自動取得機能は、再生開始時点で起動してもよい。
【００４３】
次に、再生制御部１０３は、レジューム情報制御部１２２を介して記憶部１２５にレジューム情報が有るか否かを確認する（ステップＳ１０５）。再生制御部１０３は、レジューム情報が有る場合は、レジューム再生するか否かを確認し（ステップＳ１０６）、レジューム再生を選択する場合にはレジューム情報制御部１２２を介して記憶部１２５からレジューム情報を読み出す（ステップＳ１０７）。再生制御部１０３は、記憶部１２５にレジューム情報が有る場合には、レジューム再生を開始し、レジューム情報がない場合は通常再生を開始する（ステップＳ１０８）。次に、再生制御部１０３は、再生手段１０１にデコード処理を開始させ映像音声信号Ｄ５を出力させる（ステップＳ１０９）。
【００４４】
再生が終了するまで、レジューム機能手段１０２は、レジューム情報取得処理（ステップＳ１２０）を実行する。再生制御部１０３は、再生が終了すれば、処理をステップＳ１０２に戻す（ステップＳ１１８）。
【００４５】
レジューム情報取得処理（ステップＳ１２０）において、再生開始のユーザー操作があった場合（ステップＳ１１０）は、レジューム機能手段１０２は、処理をステップＳ１１１に進め、ユーザー操作がない場合（ステップＳ１１０）は処理をステップＳ１１４に進める。ステップＳ１１１において、レジューム情報制御部１２２は、ユーザー操作がレジューム情報取得動作であるか否かを判断する。ここで、レジューム情報取得動作とは、再生停止操作（電源オフによる再生停止処理を含む）などの操作である。ステップＳ１１１において、ユーザー操作がレジューム情報取得操作であると判定された場合は、再生制御部１０３は、レジューム機能手段１０２のレジューム情報取得部１２２に第１のレジューム情報Ｒ１を取得させる（ステップＳ１１２）。なお、ユーザー操作時に必ずレジューム情報を取得するように設定している場合には、レジューム情報制御部１２２は、ユーザー操作の都度、レジューム情報取得部１２２にレジューム情報を取得させる。レジューム情報制御部１２２は、レジューム情報を取得した（ステップＳ１１２）後、又は、レジューム情報取得動作でなかったとき（ステップＳ１１１）は、ユーザーの操作が実行された後に（ステップＳ１１３）、処理をステップＳ１１４に進める。
【００４６】
ステップＳ１１４において、レジューム情報制御部１２２は、ストリームの状態変更の有無をチェックする。ストリーム状態が変更された場合は、処理をステップＳ１１５に進める。なお、ストリーム状態変更時にレジューム状態を取得しないように設定している場合は、レジューム情報制御部１２２は、処理をステップＳ１１６に進める。ここで、ストリーム状態変更とは、ＧＯＰの変化や、チャプターの切り替わり、タイトルの切り替わりなどを示す。また、ストリームの状態変更は、アングルが増えた場合、ＰＩＰの表示・非表示が切り替わったときなどを含んでもよい。
【００４７】
ステップＳ１１６において、レジューム情報制御部１２２は、指定時間が経過したときに、レジューム情報自動取得部１２４に、レジューム情報を自動で取得する処理を実行させる（ステップＳ１１６，Ｓ１１７）。レジューム情報取得（ステップＳ１１７）後、又は、指定期間が経過していないときに（ステップＳ１１６）、レジューム情報制御部１２２は、再生が終了したか否かを判定し（ステップＳ１１８）、再生が終了するまで、レジューム情報取得処理（ステップＳ１２０）を継続する。また、再生制御部１０３は、ステップＳ１１８において再生終了と判定したときには、処理をステップＳ１０２に戻す。
【００４８】
以上に説明したように、実施の形態１に係る再生装置１００及び再生方法によれば、レジューム再生時に、再生停止操作位置から再生を再開することができ、また、再生停止操作位置から再生を再開することができない場合であっても、記憶部１２５に記憶されている第２のレジューム情報Ｒ２に基づく位置から再生を再開することができる。このため、再生停止操作位置から再生を再開することができない場合であっても、再生停止操作位置から再生を再開するレジューム再生と同様の利便性をユーザーに提供することができる擬似レジューム再生の機能を実現できる。
【００４９】
なお、再生装置１００及び再生方法において、レジューム情報の自動取得の時間間隔などを、ユーザー操作によって選択（設定）することができるようにしてもよい。
【００５０】
また、記憶部１２５に複数のレジューム情報が記憶されているので、取得した複数のレジューム情報を表示装置４０１に表示させ、ユーザー操作部１０４の操作によってレジューム情報の一つをレジューム再生の開始位置として選択するようにすることもできる。この場合には、ユーザーによる再生停止操作位置に関する第１のレジューム情報Ｒ１が存在しても、この第１のレジューム情報Ｒ１が示す位置以外の位置からレジューム再生を開始させることができる。
【００５１】
実施の形態２．
図６は、本発明の実施の形態２に係る再生装置２００の構成を概略的に示すブロック図である。図６に示されるように、実施の形態２に係る再生装置２００は、映像音声信号を再生する再生手段２０１と、レジューム再生時における再生開始位置を管理するレジューム機能手段２０２と、再生手段２０１及びレジューム機能手段２０２を制御する再生制御部２０３と、ユーザー指示が入力されるユーザー操作部２０４とを有する。また、再生装置２００には、表示装置４０１が接続されている。
【００５２】
図６に示されるように、再生手段２０１は、情報読取部２１１と、ストリーム処理部２１２と、ストリーム制御部２１３と、デコーダー２１４と、再生情報制御部２１５とを有する。また、レジューム機能手段２０２は、レジューム情報生成部２２１と、レジューム情報制御部２２２と、第１のレジューム情報取得手段としてのレジューム情報取得部２２３と、第２のレジューム情報取得手段としてのレジューム情報自動取得部２２４と、記憶部２２５と、レジューム情報管理部２２６とを有する。
【００５３】
実施の形態２に係る再生装置２００は、レジューム機能手段２０２がレジューム情報管理部２２６を備える点において、実施の形態１に係る再生装置１００と相違する。実施の形態２における再生手段２０１、再生制御部２０３、及びユーザー操作部２０４はそれぞれ、実施の形態１における再生手段１０１、再生制御部１０３、及びユーザー操作部１０４と同様の機能を有する。図６における制御コマンドＣ２０３ａ〜Ｃ２０３ｄ，Ｃ２０４，Ｃ２１５ａ〜Ｃ２１５ｃは、既に説明した図１における制御コマンドＣ１０３ａ〜Ｃ１０３ｄ，Ｃ１０４，Ｃ１１５ａ〜Ｃ１１５ｃと同様のコマンドである。
【００５４】
また、実施の形態２におけるレジューム情報生成部２２１、レジューム情報制御部２２２、レジューム情報取得部２２３、レジューム情報自動取得部２２４、及び記憶部２２５は、実施の形態１におけるとレジューム情報生成部１２１、レジューム情報制御部１２２、レジューム情報取得部１２３、レジューム情報自動取得部１２４、及び記憶部１２５と同様の機能を有する。また、図６における制御コマンドＣ２２２ａ，Ｃ２２２ｂ，Ｃ２２３，Ｃ２２４は、既に説明した図１における制御コマンドＣ１２２ａ，Ｃ１２２ｂ，Ｃ１２３，Ｃ１２４と同様のコマンドである。
【００５５】
レジューム情報管理部２２６は、レジューム情報取得部２２３が取得した第１のレジューム情報Ｒ１及びレジューム情報自動取得部２２４が取得した第２のレジューム情報Ｒ２の管理を行う。レジューム情報管理部２２６は、レジューム再生時において、ユーザーが選択しやすいようにレジューム情報を整理する。レジューム情報管理部２２６は、例えば、レジューム情報（第１のレジューム情報Ｒ１又は第２のレジューム情報Ｒ２）に自動取得又はユーザー操作による取得などの種別の情報の追加、又は、レジューム情報を取得できなかった箇所（例えば、レジューム再生禁止区間における再生停止操作があったときの再生停止操作位置）の情報の追加などを行う。また、レジューム情報管理部２２６は、レジューム情報取得部２２３が取得した第１のレジューム情報Ｒ１と記憶部２２５に記憶されている第２のレジューム情報Ｒ２との照合を行ない、一致しない場合に、レジューム情報の統合処理又は追加処理などの取捨選択処理を行うこともできる。
【００５６】
図７（Ａ）及び（Ｂ）は、実施の形態２に係る再生装置２００のレジューム情報管理部２２６が管理するデータの一例を示す図である。図７（Ａ）の上側に示されるように、レジューム情報取得部２２３が取得した（又は、記憶部２２５に記憶された）第１のレジューム情報Ｒ１は、通常は１つだけの情報である。これに対し、図７（Ｂ）の下側に示されるように、レジューム情報自動取得部２２４が取得し、記憶部２２５に記憶した第２のレジューム情報Ｒ２は、通常は複数個有る。レジューム情報管理部２２６は、これらの第１のレジューム情報Ｒ１と第２のレジューム情報Ｒ２とを比較し、比較結果を用いてレジューム再生の開始位置として最適な位置を決定する。図７（Ａ）の例では、レジューム情報取得部２２３が取得した第１のレジューム情報Ｒ１（レジューム情報取得部２２３によって再生停止操作があったときに取得されたレジューム情報）と記憶部２２５に記憶されている第２のレジューム情報Ｒ２（例えば、レジューム情報自動取得部２２４によって再生期間中に取得されたレジューム情報（一定時間ごとに取得するレジューム情報など）の中の最新のもの）とが一致しない。これは、レジューム情報取得部２２３が何らかの原因で、再生時間１０時００分以降で第１のレジューム情報Ｒ１を取得できなかった、又は、レジューム情報を取得できない状況に陥ったからであると考えられる。レジューム情報取得部２２３が取得した第１のレジューム情報Ｒ１と記憶部２２５に記憶されている第２のレジューム情報Ｒ２とが一致しているか否かは、例えば、レジューム情報取得部２２３が取得した第１のレジューム情報Ｒ１が示す時刻（再生停止時刻）と記憶部２２５に記憶されている第２のレジューム情報Ｒ２が示す時刻（再生停止時刻）とを比較し、その差が所定の値以下であるか否かを判定することによって行なう。第２のレジューム情報Ｒ２が自動取得されている期間は、再生が済んだ期間であると判定できるので、レジューム情報取得部２２３が取得した第１のレジューム情報Ｒ１と記憶部２２５に記憶されている第２のレジューム情報Ｒ２とが一致しない場合には、記憶部２２５に記憶されている第２のレジューム情報Ｒ２に基づく位置からレジューム再生することが望ましい。
【００５７】
また、情報記録媒体がレジューム再生を許可していないレジューム再生禁止区間（タイトル、チャプターなど）で再生停止操作を行なった場合には、レジューム情報取得部２２３は第１のレジューム情報Ｒ１を取得できない。このため、その後、ユーザーがユーザー操作部２０４からレジューム再生を指示すると、情報記録媒体によって予め設定されている再生開始位置であるファーストプレイ（ＦｉｒｓｔＰｌａｙ）の位置から再生が行われてしまう場合がある。しかし、実施の形態２に係る再生装置２００によれば、情報記録媒体がレジューム再生を許可していないレジューム再生禁止区間で再生停止操作を行なった場合であっても、レジューム情報管理部２２６によって、レジューム再生における再生開始位置として第２のレジューム情報Ｒ２のいずれかが示すレジュームポイントから再生を開始することが位置を選択できる。
【００５８】
図８は、実施の形態２に係る再生装置２００の動作（実施の形態２に係る再生方法）を概略的に示すフローチャートである。図８において、ステップＳ１０１〜Ｓ１０７の処理及びステップＳ１０８，Ｓ１０９，Ｓ１２０，Ｓ１１８の処理は、既に説明した図５におけるステップＳ１０１〜Ｓ１０７の処理及びステップＳ１０８，Ｓ１０９，Ｓ１２０，Ｓ１１８の処理と同じである。実施の形態２に係る再生装置２００の動作は、ステップＳ２０１〜Ｓ２０４が追加された点において、実施の形態１に係る再生装置１００の動作と異なる。
【００５９】
実施の形態２においては、ステップＳ１０５においてレジューム情報が無いと判定されたとき、ステップＳ１０６においてレジューム再生をしないとき、又は、ステップＳ１０７においてレジューム情報を読み出すことができたときに、レジューム情報制御部２２２は、レジューム情報管理部２２６に問い合わせを行う（ステップＳ２０１）。次に、レジューム情報管理部２２６は、自動取得された第２のレジューム情報Ｒ２とステップＳ１０７で読出された第１のレジューム情報Ｒ１との一致判定を行い（ステップＳ２０２）、一致した場合は処理をステップＳ２０４に進め、一致しない場合は処理をステップＳ２０３に進める。レジューム情報管理部２２６は、ステップＳ２０３において、自動取得された第２のレジューム情報Ｒ２をレジューム情報取得部２２３が取得した第１のレジューム情報Ｒ１と比較し、いずれのレジューム情報を採用するかを判定する。レジューム情報管理部２２６は、ステップＳ２０４において、使用するレジューム情報を決定し、処理をステップＳ１０８に進める。図８における動作は、既に説明した図５における動作と同じである。
【００６０】
以上に説明したように、実施の形態２に係る再生装置２００及び再生方法によれば、レジューム再生時に、再生停止操作位置から再生を再開することができ、また、再生停止操作位置から再生を再開することができない場合であっても、記憶部２２５に記憶されている第２のレジューム情報Ｒ２に基づく位置から再生を再開することができる。このため、再生停止操作位置から再生を再開することができない場合であっても、再生停止操作位置から再生を再開するレジューム再生と同様の利便性をユーザーに提供することができる擬似レジューム再生の機能を実現できる。
【００６１】
また、実施の形態２に係る再生装置２００及び再生方法によれば、レジューム情報管理部２２６によって、レジューム情報が、ユーザー操作による再生停止操作位置を示す第１のレジューム情報Ｒ１、レジューム情報自動取得部２２４によって取得された第２のレジューム情報Ｒ２とを区別してレジューム情報を管理することができる。このため、レジューム情報が、ユーザー操作により取得されたレジューム再生箇所を示す情報であるか、又は、自動取得されたレジューム再生箇所を示す情報であるかを区別して記憶することができる。したがって、表示装置４０１に表示されるレジューム再生の選択画面に、ユーザー操作によって取得されたレジューム情報であるか、又は、レジューム情報自動取得部２２４によって取得されたレジューム情報であるかを区別する情報を追加表示することができる。このため、取得した複数のレジューム情報を表示装置４０１に表示させ、ユーザー操作部２０４の操作によってレジューム情報の一つをレジューム再生の開始位置として選択可能にした場合に、ユーザー操作を容易にすることができる。
【００６２】
また、実施の形態２に係る再生装置２００及び再生方法によれば、再生済みの部分については、一定の時間間隔で自動的にレジューム情報を生成するので、未再生箇所（未再生の範囲）や未視聴タイトルを容易に知ることができる。
【００６３】
また、ユーザー操作による再生停止操作位置がレジューム再生禁止区間である場合は、通常はコンテンツの１番初めの位置から再生が開始されるが、実施の形態２に係る再生装置２００によれば、レジューム情報を自動取得しているので、自動取得されたレジューム情報を元に再生開始位置を決めることができる。例えば、ＢＤ−Ｊ（Ｂｌｕ−ｒａｙ  Ｄｉｓｃ  Ｊａｖａ）タイトルなどのように本編すべてがレジューム再生禁止区間であるコンテンツであったとしても、タイトルの変更箇所でレジューム再生が可能であれば、レジューム再生における再生開始位置をタイトルの変更箇所とする再生を実現できる。
【００６４】
なお、実施の形態２において、上記以外の点は、上記実施の形態１の場合と同じである。
【００６５】
実施の形態３．
図９は、本発明の実施の形態３に係る再生装置３００の構成を概略的に示すブロック図である。図９に示されるように、実施の形態３に係る再生装置３００は、映像音声信号を再生する再生手段３０１と、レジューム再生時における再生開始位置を管理するレジューム機能手段３０２と、再生手段３０１及びレジューム機能手段３０２を制御する再生制御部３０３と、ユーザー指示が入力されるユーザー操作部３０４とを有する。また、実施の形態３に係る再生装置３００は、電源部３０９と、電源時間管理部３０８とを有する。また、再生装置３００には、表示装置４０１が接続されている。
【００６６】
図９に示されるように、再生手段３０１は、情報読取部３１１と、ストリーム処理部３１２と、ストリーム制御部３１３と、デコーダー３１４と、再生情報制御部３１５とを有する。また、レジューム機能手段３０２は、レジューム情報生成部３２１と、レジューム情報制御部３２２と、第１のレジューム情報取得手段としてのレジューム情報取得部３２３と、第２のレジューム情報取得手段としてのレジューム情報自動取得部３２４と、記憶部３２５と、レジューム情報管理部３２６とを有する。
【００６７】
実施の形態３に係る再生装置３００は、電源部３０９と、電源時間管理部３０８とを有する点において、実施の形態２に係る再生装置２００と相違する。電源時間管理部３０８は、システムの電源がオンされてから電源がオフされるまでの時間情報を管理し、保持する。また、電源部３０９は、再生装置（システム）３００全体の電源のオン／オフの管理を行う。再生手段３０１、レジューム機能手段３０２、再生制御部３０３、及びユーザー操作部３０４はそれぞれ、実施の形態２における再生手段２０１、レジューム機能手段２０２、再生制御部２０３、及びユーザー操作部３０４と同様の機能を有する。図９における制御コマンドＣ３０３ａ〜Ｃ３０３ｄ，Ｃ３０４，Ｃ３１５ａ〜Ｃ３１５ｃは、既に説明した図６における制御コマンドＣ２０３ａ〜Ｃ２０３ｄ，Ｃ２０４，Ｃ２１５ａ〜Ｃ２１５ｃと同様のコマンドである。
【００６８】
また、実施の形態３におけるレジューム情報生成部３２１、レジューム情報制御部３２２、レジューム情報取得部３２３、レジューム情報自動取得部３２４、記憶部３２５、及びレジューム情報管理部３２６は、実施の形態２におけるレジューム情報生成部２２１、レジューム情報制御部２２２、レジューム情報取得部２２３、レジューム情報自動取得部２２４、記憶部２２５、及びレジューム情報管理部２２６と同様の機能を有する。また、図９における制御コマンドＣ３２２ａ〜Ｃ３２２ｃ，Ｃ３２３，Ｃ３２４は、既に説明した図６における制御コマンドＣ２２２ａ〜Ｃ２２２ｃ，Ｃ２２３，Ｃ２２４と同様のコマンドである。
【００６９】
図１０は、実施の形態３に係る再生装置３００の動作（実施の形態３に係る再生方法）を概略的に示すフローチャートである。図１０において、ステップＳ１０１〜Ｓ１０７の処理、ステップＳ１０８，Ｓ１０９，Ｓ１２０，Ｓ１１８の処理、ステップＳ２０１〜Ｓ２０３の処理は、既に説明した図８におけるステップＳ１０１〜Ｓ１０７の処理、ステップＳ１０８，Ｓ１０９，Ｓ１２０，Ｓ１１８の処理、ステップＳ２０１〜Ｓ２０３の処理と同じである。実施の形態３に係る再生装置３００の動作は、ステップＳ３０１，Ｓ３０２，Ｓ３０３の処理が追加された点、及び、ステップＳ３０４の処理内容が、実施の形態２に係る再生装置２００の動作と異なる。
【００７０】
実施の形態３に係る再生装置３００においては、電源時間管理部３０８は、システム起動（ステップＳ１０１）時にシステムの起動時間の計測を開始し（ステップＳ３０１）、システム終了（ステップＳ１０３）時にシステムの起動時間の計測を終了する（ステップＳ３０２）。
【００７１】
また、実施の形態３に係る再生装置３００においては、レジューム情報制御部３２２によるレジューム情報管理部３２６への問い合わせは、ステップＳ１０５においてレジューム情報が無いと判定されたとき、ステップＳ１０６においてレジューム再生をしないとき、又は、ステップＳ１０７においてレジューム情報を読み出すことができたときに、行われる（ステップＳ２０１）。実施の形態３に係る再生装置３００においては、レジューム情報管理部３２６に対する問い合わせ（ステップＳ２０１）の後に、電源時間管理部３０８は、システムの起動時間を判定して、起動時間情報Ｃ３０８をレジューム情報制御部３２２に送る。レジューム情報管理部３２６は、自動取得された第２のレジューム情報Ｒ２とステップＳ１０７で読出された第１のレジューム情報Ｒ１との一致判定を行い（ステップＳ２０２）、一致した場合は処理をステップＳ２０４に進め、一致しない場合は処理をステップＳ２０３に進める。レジューム情報管理部３２６は、ステップＳ２０３において、自動取得された第２のレジューム情報Ｒ２をレジューム情報取得部２２３が取得した第１のレジューム情報Ｒ１と比較し、いずれのレジューム情報を採用するかを判定する。レジューム情報管理部３２６は、ステップＳ３０４において、システムの起動時間を用いて、使用するレジューム情報を決定し、処理をステップＳ１０８に進める。実施の形態３に係る再生装置３００における他の動作は、実施の形態２に係る再生装置２００の動作と同様である。
【００７２】
図１１（Ａ）及び（Ｂ）は、実施の形態３に係る再生装置３００の電源時間管理部３０８の動作の一例を示す図である。図１１（Ａ）は、電源オン時間Ｔ１が、所定の基準時間Ｔ０以上のときの動作を示し、図１１（Ｂ）は、電源オン時間Ｔ２が、所定の基準時間Ｔ０より短いときの動作を示す。
【００７３】
実施の形態３に係る再生装置３００においては、図１１（Ａ）に示されるように、時刻Ｕ１において再生停止位置ＱＡで再生が停止（電源オフを伴う）した後に、時刻Ｕ２においてレジューム再生（電源オンを伴う）をする場合には、再生開始位置（レジュームポイント）は再生停止位置ＱＡである。同様に、時刻Ｕ３において再生停止位置ＱＢで再生が停止（電源オフを伴う）した後に、基準時間Ｔ０以上の電源オン時間Ｔ１が経過した後、時刻Ｕ４においてレジューム再生（電源オンを伴う）をする場合には、再生開始位置（レジュームポイント）は再生停止位置ＱＢである。
【００７４】
また、実施の形態３に係る再生装置３００においては、図１１（Ｂ）に示され得ように、時刻Ｕ１１において再生停止位置ＱＣで再生が停止（電源オフを伴う）した後に、時刻Ｕ１２においてレジューム再生（電源オンを伴う）をする場合には、再生開始位置（レジュームポイント）は再生停止位置ＱＣである。しかし、時刻Ｕ１３において再生停止位置ＱＤで再生が停止（電源オフを伴う）した後に、基準時間Ｔ０未満の電源オン時間Ｔ２が経過した後、時刻Ｕ１４においてレジューム再生（電源オンを伴う）をする場合には、再生開始位置（レジュームポイント）は再生停止位置ＱＤではなく、位置ＱＣである。
【００７５】
このように、実施の形態３に係る再生装置３００においては、電源時間管理部３０８で取得した時間データを使用し、基準時間Ｔ０よりも短い再生時間又は電源オン時間の後の再生停止位置（図１１（Ｂ）のＱＤ）をレジューム再生における再生開始位置（レジュームポイント）としては用いない。その代わりに、レジューム情報制御部３０５で前回のレジューム情報が示す再生停止位置ＱＣをレジューム再生における再生開始位置（レジュームポイント）として用いる。このような制御を行なう理由は、基準時間Ｔ０よりも短い再生箇所は、ユーザーが視聴のために再生開始を操作した箇所ではない（したがって、ユーザーが視聴していない）可能性が高いこと、又は、ユーザーが視聴のために再生開始を操作した箇所であったとしても非常に短い再生箇所は記憶に残りにくく再度視聴することが望ましいと考えられることである。したがって、実施の形態３に係る再生装置３００においては、基準時間Ｔ０よりも短い再生箇所を見逃さないようにすることができる。
【００７６】
また、実施の形態３に係る再生装置３００においては、電源のオン／オフが複数回繰り返された場合であっても、電源オフ時（再生停止時でもある）のレジューム情報を複数保持しているので、基準時間Ｔ０以上の期間再生した後における再生停止位置から再生を再開することができる。
【００７７】
また、実施の形態３に係る再生装置３００においては、電源時間管理部３０８が再生時間を測定しているので、再生停止操作がレジューム再生禁止区間で行なわれた場合であっても、レジューム再生禁止区間がタイムサーチが禁止されていない区間であれば、タイムサーチ機能を利用することによって（再生時間に基づく再生位置から再生を開始することによって）、再生停止操作位置の近くで再生を開始することが可能である。
【００７８】
なお、実施の形態３において、上記以外の点は、上記実施の形態１又は２の場合と同じである。
【００７９】
また、実施の形態３における電源時間管理部３０８による管理されている電源オン／オフ時間に基づく制御は、実施の形態１の再生装置１００のような他の再生装置に適用することも可能である。
【００８０】
実施の形態４．
実施の形態４では、外部、もしくは内部から入力される映像音声信号を再生する再生装置が、ユーザー操作による停止、電源ＯＦＦなどのときにレジューム情報を取得する機能を有し、さらに再生しているストリームを解析しユーザーにとって有意なシーンをレジューム情報として自動的に取得する機能をもったレジューム機能を持つ再生装置である場合を説明する。
【００８１】
図１２は、本発明の実施の形態４に係る再生装置１１００の構成を概略的に示すブロック図である。図１２に示されるように、実施の形態４に係る再生装置１１００は、映像及び／又は音声（「映像音声」と言う。）信号を再生する再生手段１１０１と、レジューム再生時における再生開始位置を管理するレジューム機能手段１１０２と、再生手段１１０１及びレジューム機能手段１１０２を制御する再生制御部１１０３と、ユーザー指示が入力されるユーザー操作部１１０４とを有する。また、再生装置１１００には、表示装置１４０１が接続されている。再生装置１１００は、例えば、光ディスク再生装置、ハードディスク再生装置、パーソナルコンピュータなどである。また、表示装置１４０１は、再生装置１１００に備えられた表示部であってもよい。
【００８２】
図１２に示されるように、再生手段１１０１は、情報読取部１１１１と、ストリーム処理部１１１２と、ストリーム制御部１１１３と、デコーダー１１１４と、再生情報制御部１１１５と、特徴点抽出部１１１７とを有する。また、図１２に示されるように、レジューム機能手段１１０２は、レジューム情報生成部１１２１と、レジューム情報制御部１１２２と、第１のレジューム情報取得手段としてのレジューム情報取得部１１２３と、第２のレジューム情報取得手段としてのレジューム情報自動取得部１１２４と、記憶部１１２５とを有する。なお、再生情報制御部１１１５と、レジューム情報制御部１１２２と、再生制御部１１０３とは、装置全体を制御する制御手段として機能する。
【００８３】
情報読取部１１１１は、図示しない情報記録媒体からストリーム（映像音声信号及び再生制御情報を含む。）Ｄ１を読み取ってストリーム処理部１１１２に出力する。情報記録媒体は、例えば、光ディスク又はハードディスクなどである。情報読取部１１１１は、例えば、光ディスク再生部又はハードディスクドライブ部（ＨＤＤ）などである。また、情報読取部１１１１は、外部から入力されたストリームを出力する手段であってもよい。
【００８４】
ストリーム処理部１１１２は、情報読取部１１１１から受け取ったストリームＤ１に含まれる映像音声信号Ｄ２を特徴点抽出部１１１７に出力し、特徴点抽出部１１１７は映像音声信号Ｄ２をストリーム制御部１１３へ出力し、再生制御情報Ｄ３を再生情報制御部１１５に出力する。
【００８５】
特徴点抽出部１１１７は、ストリーム処理部１１１２から供給された映像、音声データを解析し、シーンが変わったと判定した箇所について、レジューム情報制御部１１２２にコマンド（ＣＭＤ１３１）でレジューム情報取得要求を行う。
【００８６】
再生情報制御部１１１５は、情報読取部１１１１から受け取った再生制御情報Ｄ３の解析を行い、制御コマンドＣ１１１５ａ，Ｃ１１１５ｂを出力する。再生情報制御部１１１５は、例えば、再生制御部１１０３から再生、再生停止、早送り再生、巻き戻し再生、スロー再生、ポーズ、早送り、巻き戻しなどの動作種目（イベント）を要求する制御コマンドＣ１１０３ａを受け取ったときに、再生制御情報Ｄ３に基づいて、制御コマンドＣ１１１５ａをストリーム制御部１１１３に出力する。
【００８７】
ストリーム制御部１１１３は、再生情報制御部１１１５からの制御コマンドＣ１１１５ａに従って、デコーダー１１１４へのストリームＤ４の転送動作を制御する。
【００８８】
デコーダー１１１４は、ストリーム制御部１１１３からのストリームＤ４をデコードし、表示装置１４０１にデコードされた映像音声信号Ｄ５を供給する。
【００８９】
レジューム情報生成部１１２１は、再生情報制御部１１１５からの制御コマンドＣ１１１５ｃに基づいてレジューム情報Ｒ０を生成する。レジューム情報生成部１１２１は、レジューム再生に必要な情報であるレジューム情報を生成する。レジューム情報は、例えば、時間情報、タイトル情報、チャプター情報、プレイヤーの設定情報、ディスクの設定情報を含む情報である。レジューム情報Ｒ０は、ユーザー操作部１１０４により再生停止が指示された時点における再生停止操作位置を示す第１のレジューム情報Ｒ１と、再生動作の種類が切り替わったとき、再生情報が切り替わったとき、及び、所定の再生時間毎、の中の１つ以上の時点における再生位置を示す１又は複数の第２のレジューム情報Ｒ２とを含む。ここで、再生動作の種類が切り替わったときは、例えば、再生、再生停止、早送り再生、巻き戻し再生、スロー再生、及びポーズを含む複数の動作種目の間の動作の切り替わりを含む。再生情報が切り替わったときは、例えば、タイトルが切り替わったとき、チャプターが切り替わったとき、ＧＯＰ情報が切り替わったとき、アングル（例えば、ユーザー側の操作で好きなアングルの映像を鑑賞できるマルチアングル（多角度）コンテンツにおけるアングル）が切り替わったとき、ピクチャーインピクチャー（ＰＩＰ）の表示・非表示が切り替わったときのいずれかのときを含む。
【００９０】
再生制御部１１０３は、制御コマンドＣ１１０３ａ，Ｃ１１０３ｂ，Ｃ１１０３ｃ，Ｃ１１０３ｄを出力して、各モジュールに指示を行う。例えば、再生制御部１１０３は、ユーザー操作部１１０４から再生停止を示す制御コマンドＣ１１０４を受信したときに、再生停止を意味する制御コマンドを出力する。また、再生制御部１１０３は、ユーザー操作部１１０４からレジューム再生を示す制御コマンドＣ１１０４を受信したときに、再生手段１１０１に、第１のレジューム情報Ｒ１が示す再生停止操作位置及び１又は複数の第２のレジューム情報Ｒ２が示す再生位置の中のいずれかの位置から、再生を再開させる。この場合、いずれの位置から再生を再開するかについては、後述するが、例えば、第１のレジューム情報が示す再生停止操作位置及び第２のレジューム情報が示す再生位置の中から、最後に生成されたレジューム情報に基づく位置から、再生を再開させるように構成してもよい。
【００９１】
ユーザー操作部１１０４は、例えば、赤外線又は電波信号などの指令信号を発信するリモコン（図示せず）と、リモコンからの指令信号を受信し、受信した制御信号に応じた制御コマンドを再生制御部１１０３に送信するユーザー操作制御部（図示せず）とから構成される。また、ユーザー操作部１１０４は、再生装置１１００の本体に備えられた操作部であってもよい。
【００９２】
レジューム情報取得部１１２３は、レジューム情報生成部１１２１から再生停止操作位置を示す第１のレジューム情報Ｒ１を取得して、記憶部１１２５に記憶させる。ここで、再生停止操作位置には、ユーザー操作部１１０４により再生停止が指示されたときの再生停止位置だけでなく、システム電源のオフによって再生が停止する場合における再生停止位置を含むように設定してもよい。
【００９３】
レジューム情報取得部１１２３は、再生制御部１１０３からレジューム情報取得要求の制御コマンドＣ１１０３ｃを受け取ったときに、レジューム情報制御部１１２２にレジューム情報取得要求の制御コマンドＣ１１２３を出力する。実施の形態４においては、レジューム情報取得部１１２３は、ユーザー操作による再生停止（電源オフによる再生停止を含む）などの所定の操作がなされたときに再生停止操作位置を示す第１のレジューム情報Ｒ１を取得し、記憶部１１２５に記憶させる。
【００９４】
レジューム情報自動取得部１１２４は、再生制御部１１０３からレジューム情報取得要求の制御コマンドＣ１１０３ｂを受け取ったときに、レジューム情報制御部１１２２にレジューム情報取得要求の制御コマンドＣ１１２４を出力する。実施の形態４においては、レジューム情報自動取得部１１２４は、再生動作の種類が切り替わったとき、再生情報の種類（タイトル及び／又はチャプターなど）が切り替わったとき、及び、所定の再生時間毎、の中の１つ以上の時点における再生位置を示す１又は複数の第２のレジューム情報Ｒ２を取得し、記憶部１１２５に記憶させる。例えば、レジューム情報自動取得部１１２４は、再生制御部１１０３から送られてくる再生制御情報を監視し、再生、再生停止、早送り再生、巻き戻し再生、スロー再生、ポーズなどのような再生動作の切り替わり、チャプター及び／又はタイトルなどの再生情報の切り替わり、時間の経過（一定時間ごとなど）の状態が変化したときに、レジューム情報生成部１１２１から第２のレジューム情報Ｒ２を自動的に取得して、記憶部１１２５に記憶させる。レジューム情報自動取得部１１２４が取得した第２のレジューム情報Ｒ２は、レジューム情報番号を付けて記憶部１１２５に記憶される。
【００９５】
レジューム情報制御部１１２２は、レジューム情報取得部１１２３からレジューム情報取得要求の制御コマンドＣ１１２３が発行されたとき又はレジューム情報自動取得部１２４からレジューム情報取得要求の制御コマンドＣ１１２４が発行されたときに、レジューム情報生成部１１２１にレジューム情報取得要求の制御コマンドＣ１１２２ａを送り、要求したレジューム情報（第１のレジューム情報Ｒ１又は第２のレジューム情報Ｒ２）を取得して、レジューム情報取得部１１２３又はレジューム情報自動取得部１１２４に供給する。もしくは、特徴点抽出部１１１７からレジューム情報取得要求の制御コマンドＣＭＤ１３１が発行されたときに、レジューム情報生成部１１２１にレジューム情報を取得しにいく。また、レジューム情報制御部１１２２は、再生制御部１１０３からレジューム再生情報取得要求の制御コマンドＣ１１０３ｄを受け取ったときに、レジューム情報（第１のレジューム情報Ｒ１又は第２のレジューム情報Ｒ２）を記憶部１１２５から取得して再生制御部１１０３に送る。
【００９６】
次に、実施の形態４に係る再生装置１１００の動作を説明する。先ず、ユーザーは、ユーザー操作部１１０４の再生ボタン（図示せず）を操作して再生開始指示を入力する。ユーザー操作部１１０４は、入力された再生開始指示に基づく再生開始の制御コマンドＣ１１０４を再生制御部１１０３に出力し、再生制御部１１０３は再生手段１１０１及びレジューム機能手段１１０２に制御コマンドを送り、これらの動作を制御する。
【００９７】
先ず、通常再生時の動作を説明する。通常再生時には、再生情報制御部１１１５は、情報読取部１１１１にデータ読出しの制御コマンドＣ１１１５ｂを送り、情報読取部１１１１はストリーム処理部１１１２にストリームＤ１を送る。ストリーム処理部１１１２は、ストリームＤ１を受け取り、映像音声信号Ｄ２をストリーム制御部１１１３に、再生制御情報Ｄ３を再生情報制御部１１１５に送る。再生情報制御部１１１５は、再生制御情報Ｄ３に基づいて、再生に必要な制御コマンドＣ１１１５ａをストリーム制御部１１１３に送る。ストリーム制御部１１１３は、デコーダー１１１４にストリームを転送するための制御を行う。デコーダー１１１４は、入力ストリームＤ４をデコードし、映像音声信号Ｄ５を表示装置１４０１に送信し、表示装置１４０１で映像が表示され、図示しないスピーカーから音声が出力される。
【００９８】
次に、レジューム再生時の動作を説明する。再生を中断している状態で、ユーザー操作部１１０４から再生開始の操作がなされると、ユーザー操作部１１０４は、再生用の制御コマンドＣ１１０４を再生制御部１１０３に送る。そして、再生制御部１１０３は、レジューム情報を取得するための制御コマンドＣ１１０３ｄをレジューム情報制御部１１２２に送る。レジューム情報制御部１１２２は、受信したレジューム情報取得の制御コマンド１１０３ｄに従って、記憶部１１２５に制御コマンドＣ１１２２ｂを送り、記憶部１１２５からレジューム情報（第１のレジューム情報Ｒ１又は第２のレジューム情報Ｒ２）を取得する。
【００９９】
再生制御部１１０３は、記憶部１１２５から読み出されたレジューム情報に基づいて、再生情報制御部１１１５にレジューム再生を指示する制御コマンドＣ１１０３ａを送る。再生情報制御部１１１５は、情報読取部１１１１にレジューム情報に基づく再生開始位置からストリームを出力させるための制御コマンドＣ１１１５ｂを送る。情報読取部１１１１はストリーム処理部１１１２にレジューム情報に基づく再生開始位置からのストリームＤ１を送る。
【０１００】
ストリーム処理部１１１２は、映像音声信号Ｄ２をストリーム制御部１１１３に送り、再生制御情報Ｄ３を再生情報制御部１１１５に送る。再生情報制御部１１１５は、再生制御情報Ｄ３に基づいて、レジューム再生に必要なデータを含む制御コマンドＣ１１１５ａをストリーム制御部１１１３に送る。ストリーム制御部１１１３は、デコーダー１１１４へのストリームＤ４の転送制御を行う。デコーダー１１１４は、デコードされた映像音声信号Ｄ５を表示装置１４０１に送る。表示装置１４０１は、デコードされた映像信号に基づく映像を表示する。
【０１０１】
図１３は、図１２の特徴点抽出部１１１７の構成例を示す。図示の特徴点抽出部１１１７は、ストリーム分離部１３００、音声データ解析部１３０１、映像データ解析部１３０２、メタデータ解析部１３０３、音声特徴抽出判断部１３０４、映像特徴抽出判断部１３０５、メタデータ特徴抽出判断部１３０６、及び総合判定部１３０７を有する。
【０１０２】
ストリーム分離部１３００は、ストリーム処理部１１１２から送られるストリームデータを音声信号Ｄａ、映像信号Ｄｖ、メタデータＤｍに分離し、それぞれの解析部に送信する。
【０１０３】
音声データ解析部１３０１は、ストリーム分離部１３００から送られた音声データＤａを解析し音声の無音、音声の大小等の特徴点を抽出し、音声特徴抽出判断部１３０４に抽出情報Ｄａ１と時間情報Ｄａ２を送信する。
【０１０４】
音声データ解析部１３００で行っている音声解析方法について説明する。例えば、無音情報、音声の大小の情報（所定値より大きいかどうかを示す情報、所定値より小さいかどうかを示す情報）については、オーディオエンコーダを通してＭＤＣＴ係数値を取得し、ＭＤＣＴ係数値の二乗和を算出することで１オーディオフレームのオーディオエネルギーを求めることができる。よって、オーディオエネルギーがある微小な値（閾値）以下となった状態が一定の区間以上連続して検出された場合を「無音」と定義しておき、入力される音声データを評価して無音の検出を行う方法や、上記のＭＤＣＴ係数値の二乗和によって音声の大小の検出（所定の値より大きいかどうかの判定、所定の値より小さいかどうかの判定）を行う方法がある。
【０１０５】
また、この他にも無音の発生と無音が継続する区間が特定できる手法であれば、方法は問わない。また、この他にも音声の大小と継続する区間が特定できる手法であれば、方法は問わない。
【０１０６】
映像データ解析部１３０２は、ストリーム分離部１３００から送られた映像データＤｖを解析し映像の変化点を抽出し、映像特徴抽出判断部１３０５に前記抽出情報Ｄｖ１と時間情報Ｄｖ２を送信する。
【０１０７】
映像データ解析部１３０２で行っている映像解析方法について説明する。例えば、入力された映像データＤｖから映像データの輝度成分Ｙと色差成分Ｕ、Ｖのヒストグラムを生成してもよい。また、輝度成分Ｙと色差成分Ｕ、Ｖでヒストグラムを生成する方法以外にも、輝度成分Ｙだけどヒストグラムを生成する方法や、映像データを解析できる手法であり、解析結果を比較できる方法であれば、映像解析の方法は問わない。
【０１０８】
メタデータ解析部１３０３は、ストリーム分離部１３００から送られたメタデータＤｍ（例えば、字幕情報、チャプター情報、登場人物等）を解析しメタデータの切り替わり点を抽出し、メタデータ特徴抽出判断部１３０６に前記抽出情報Ｄｍ１と時間情報Ｄｍ２を送信する。
【０１０９】
音声特徴抽出判断部１３０４は、音声データ解析部１３０１から送られた特徴点に対して、前回の特徴点と比較し同じ特徴点であれば、ある時間的な閾値及び／又は音量の閾値を持ってどちらを特徴点とするか判断し、音声データとしての特徴点と時間情報を総合判定部１３０７に送信する。
【０１１０】
映像特徴抽出判断部１３０５は、映像データ解析部１３０２から送られた特徴点に対して、前回の特徴点と比較し同じ特徴点であれば、ある時間的な閾値及び／又は映像の変化度合いを持ってどちらを特徴点とするか判断し、映像データとしての特徴点と時間情報を総合判定部１３０７に送信する。
【０１１１】
メタデータ特徴抽出判断部１３０６は、メタデータ解析部１３０３から送られた特徴点に対して、前回の特徴点と比較し同じ特徴点であれば、ある時間的な閾値及び／又はメタデータの変化度合いを持ってどちらを特徴点とするか判断し、メタデータとしての特徴点と時間情報を総合判定部１３０７に送信する。
【０１１２】
総合判定部１３０７は、音声特徴抽出判断部１３０４、映像特徴抽出判断部１３０５、メタデータ特徴抽出判定部１３０６から送られた特徴点情報と時間情報を参考にし、特徴点抽出部１１１７の特徴抽出情報Ｄｇ１と特徴抽出点の時間情報Ｄｇ２を出力する。総合判定部１３０７では、音声データ、映像データ、メタデータの特徴抽出点情報のうちどの情報を優先するかを設定できる。また、２つの特徴抽出点データが一致した点、３つの特徴抽出点が一致した点を抽出点とするかなどの設定を行うことができる。
【０１１３】
図１４は、レジューム情報取得の一例を示す。各入力ストリームに対して、レジューム情報取得の方法が符号Ｕ、Ｔ、Ｇ、Ｓ、Ｃで示されている。入力ストリームに対して、自動的にレジューム情報を取得しようとする場合、区間Ｔａ、Ｔｃにおいてはレジューム情報を取得できるが、区間Ｔｂではレジューム情報を取得できない場合がある。区間Ｔｂにおいてレジューム情報が取得できない場合の原因はさまざまであるが、ここでは区間ＴｂがＤＶＤビデオディスクにてユーザーオペレーションのレジューム再生が禁止されている場合を想定する。
【０１１４】
例えば、このようなストリームを再生していた場合、区間Ｔａ、Ｔｃで、停止処理が発生すると、レジューム情報を取得できるが、区間Ｔｂで停止処理した場合は、レジューム情報を取得できない。レジューム情報が取得できない場合（区間Ｔｂ）は、レジューム再生を要求しても、レジューム情報がないので、停止位置から再生できない。
【０１１５】
しかし、レジューム情報を自動取得しておけば、区間Ｔａの終わりの地点のレジューム情報が記録されており、レジューム再生時に区間Ｔａの最後から再生を開始することができる。
【０１１６】
また、レジューム情報を取得した手段（方法）を記録しているので、ユーザーに有意なレジューム情報である映像、音声、メタデータの特徴点をレジューム情報として指定することができる。
【０１１７】
次に、取得したレジューム情報の記録方法について説明する。従来のレジューム情報の記録と異なり、複数個レジューム情報を記録することになるので、レジューム情報を記録する領域をある一定の法則に従って確保する。例えば、２のｎ乗の領域を確保し、メモリへのアクセスをスムーズにする方法や、レジューム情報をリングバッファに記録しレジューム情報を記録する領域の削減を行う等の方法がある。
【０１１８】
レジューム情報は、揮発性のメモリ、不揮発性のメモリのどちらに記録してもよいが、揮発性のメモリに記録する場合は、急に電源供給がなくなったときのためにバックアップ電源等を搭載するか、或いは電源供給中に電源供給がなくなっても不揮発性メモリに記録できる分の電源を貯蓄しておき、急に電源供給がなくなっても、レジューム情報を不揮発性メモリに記録できるようにするのが望ましい。
【０１１９】
図１５を参照して、記録部１１２５が記録しているデータについて説明する。従来、レジューム情報は一つであるので、レジューム番号が必要なかったが、自動で取得する場合は複数のレジューム情報をもつので、管理番号としてのレジューム番号とレジューム情報の取得手段（取得方法）を示す情報が必要となる。
【０１２０】
また、レジューム再生を行う際に必要となるタイトル番号、チャプター番号、時間情報を記録している。なお、ここには記載していないが再生しているときのプレイヤーの設定情報、ディスクの設定情報等も記録してもよい。
【０１２１】
図１６は、実施の形態４に係る再生装置１１００の動作（実施の形態４に係る再生方法）を概略的に示すフローチャートである。まず、再生装置（「システム」とも言う。）１００に電源が投入されると、システムが起動される（ステップＳ１０１）。システム起動後、再生制御部１１０３は、システム電源の停止（「システム終了」とも言う。）の確認を行い（ステップＳ１０２）、システム終了の要求（電源オフ操作）が有れば、システム終了の処理を行なう（ステップＳ１０３）。また、再生制御部１１０３は、システム終了の確認において（ステップＳ１０２）、システム終了の要求が無ければ、レジューム情報自動取得部１１２４によるレジューム情報自動取得機能を起動させる（ステップＳ１０４）。なお、レジューム情報自動取得機能は、再生開始時点で起動してもよい。
【０１２２】
次に、再生制御部１１０３は、レジューム情報制御部１２２を介して記憶部１１２５にレジューム情報が有るか否かを確認する（ステップＳ１０５）。再生制御部１１０３は、レジューム情報が有る場合は、レジューム再生するか否かを確認し（ステップＳ１０６）、レジューム再生を選択する場合にはレジューム情報制御部１１２２を介して記憶部１１２５からレジューム情報を読み出す（ステップＳ１０７）。再生制御部１１０３は、記憶部１１２５にレジューム情報が有る場合には、レジューム再生を開始し、レジューム情報がない場合は通常再生を開始する（ステップＳ１０８）。次に、再生制御部１１０３は、再生手段１１０１にデコード処理を開始させる（ステップＳ１０９）。その後、特徴点を抽出し（ステップＳ１０９ａ）、特徴点を検出した場合は（ステップＳ１０９ｂ）、レジューム情報を取得して、映像音声信号Ｄ５を出力させる。
【０１２３】
再生が終了するまで、レジューム機能手段１１０２は、レジューム情報取得処理（ステップＳ１２０）を実行する。ステップＳ１２０の内容は、図５のレジューム情報取得ステップＳ１２０と同じであるので、以下の説明においては、図５をも参照する。再生制御部１１０３は、再生が終了すれば、処理をステップＳ１０２に戻す（ステップＳ１１８）。
【０１２４】
レジューム情報取得処理（ステップＳ１２０）において、再生開始のユーザー操作があった場合（ステップＳ１１０）は、レジューム機能手段１１０２は、処理をステップＳ１１１に進め、ユーザー操作がない場合（ステップＳ１１０）は処理をステップＳ１１４に進める。ステップＳ１１１において、レジューム情報制御部１１２２は、ユーザー操作がレジューム情報取得動作であるか否かを判断する。ここで、レジューム情報取得動作とは、再生停止操作（電源オフによる再生停止処理を含む）などの操作である。ステップＳ１１１において、ユーザー操作がレジューム情報取得操作であると判定された場合は、再生制御部１１０３は、レジューム機能手段１１０２のレジューム情報取得部１１２２に第１のレジューム情報Ｒ１を取得させる（ステップＳ１１２）。なお、ユーザー操作時に必ずレジューム情報を取得するように設定している場合には、レジューム情報制御部１１２２は、ユーザー操作の都度、レジューム情報取得部１１２２にレジューム情報を取得させる。レジューム情報制御部１１２２は、レジューム情報を取得した（ステップＳ１１２）後、又は、レジューム情報取得動作でなかったとき（ステップＳ１１１）は、ユーザーの操作が実行された後に（ステップＳ１１３）、処理をステップＳ１１４に進める。
【０１２５】
ステップＳ１１４において、レジューム情報制御部１１２２は、ストリームの状態変更の有無をチェックする。ストリーム状態が変更された場合は、処理をステップＳ１１５に進める。なお、ストリーム状態変更時にレジューム状態を取得しないように設定している場合は、レジューム情報制御部１１２２は、処理をステップＳ１１６に進める。ここで、ストリーム状態変更とは、ＧＯＰの変化や、チャプターの切り替わり、タイトルの切り替わりなどを示す。また、ストリームの状態変更は、アングルが増えた場合、ＰＩＰの表示・非表示が切り替わったときなどを含んでもよい。
【０１２６】
ステップＳ１１６において、レジューム情報制御部１１２２は、指定時間が経過したときに、レジューム情報自動取得部１１２４に、レジューム情報を自動で取得する処理を実行させる（ステップＳ１１６，Ｓ１１７）。レジューム情報取得（ステップＳ１１７）後、又は、指定期間が経過していないときに（ステップＳ１１６）、レジューム情報制御部１２２は、再生が終了したか否かを判定し（ステップＳ１１８）、再生が終了するまで、レジューム情報取得処理（ステップＳ１２０）を継続する。また、再生制御部１１０３は、ステップＳ１１８において再生終了と判定したときには、処理をステップＳ１０２に戻す。
【０１２７】
以上に説明したように、実施の形態４に係る再生装置１１００及び再生方法によれば、レジューム再生時に、再生停止操作位置から再生を再開することができ、また、再生停止操作位置から再生を再開することができない場合であっても、記憶部１１２５に記憶されている第２のレジューム情報Ｒ２に基づく位置から再生を再開することができる。このため、再生停止操作位置から再生を再開することができない場合であっても、再生停止操作位置から再生を再開するレジューム再生と同様の利便性をユーザーに提供することができる擬似レジューム再生の機能を実現できる。
【０１２８】
なお、レジューム情報自動取得部１１２４を使用せずに特徴点抽出部１１１７だけを使用し、ユーザーにとって有意なレジューム情報のみを記録してもよい。
【０１２９】
特徴点抽出部１１１７を追加することで、レジューム再生開始位置の候補となる複数の位置（レジュームポイント）を自動的に検出し、各レジュームポイントの情報を自動的に収集し、記憶させることができ、さらに、レジューム情報を記録する回数を削減でき、メモリーアクセス数が削減できる。
【０１３０】
また、レジューム情報記録部１１２５に、複数のレジュームポイントやレジューム再生で用いるべき設定を示すレジューム情報が記録されており、そのレジューム情報を利用することでレジューム再生が可能な位置から再生できる。
【０１３１】
また、レジューム情報自動取得部１１２４を追加したことで、レジューム情報を自動的に複数取得することができる。また、レジューム情報記録部１１２５を追加したことで、レジューム情報の自動取得の時間間隔等をユーザーが選択することもできる。
【０１３２】
また、レジューム情報記録部１１２５に複数のレジューム情報（複数のレジュームポイントについての情報）が記録されているので、取得した複数のレジューム情報から、ユーザーがレジューム再生箇所を選ぶことができる。
【０１３３】
レジューム情報自動取得部１１２３により、再生した箇所のレジューム情報を自動で取得しているので、ユーザー操作によるレジューム再生を実施していないところ或いは再生を中断した箇所以外からでもレジューム再生を開始できる。
【０１３４】
また、情報読取部１１１１は、実施の形態４では、レジューム機能を持つ再生装置１１００内に設けられているが、装置外部に設けられていても良く、ストリーム処理部１１１２に、映像、音声、制御データを送信できる装置であれば良い。
【０１３５】
実施の形態５．
図１７は、本発明の実施の形態５に係る再生装置１２００の構成を概略的に示すブロック図である。図１７に示されるように、実施の形態５に係る再生装置１２００は、映像音声信号を再生する再生手段１２０１と、レジューム再生時における再生開始位置を管理するレジューム機能手段１２０２と、再生手段１２０１及びレジューム機能手段１２０２を制御する再生制御部１２０３と、ユーザー指示が入力されるユーザー操作部１２０４とを有する。また、再生装置１２００には、表示装置１４０１が接続されている。
【０１３６】
図１７に示されるように、再生手段１２０１は、情報読取部１２１１と、ストリーム処理部１２１２と、ストリーム制御部１２１３と、デコーダー１２１４と、再生情報制御部１２１５と、特徴点抽出部１２１７を有する。また、レジューム機能手段１２０２は、レジューム情報生成部１２２１と、レジューム情報制御部１２２２と、第１のレジューム情報取得手段としてのレジューム情報取得部１２２３と、第２のレジューム情報取得手段としてのレジューム情報自動取得部１２２４と、記憶部１２２５と、レジューム情報管理部１２２６とを有する。
【０１３７】
実施の形態５に係る再生装置１２００は、レジューム機能手段１２０２がレジューム情報管理部１２２６を備える点において、実施の形態４に係る再生装置１１００と相違する。実施の形態５における再生手段１２０１、再生制御部１２０３、及びユーザー操作部１２０４はそれぞれ、実施の形態４における再生手段１１０１、再生制御部１１０３、及びユーザー操作部１１０４と同様の機能を有する。図１７における制御コマンドＣ１２０３ａ〜Ｃ１２０３ｄ，Ｃ１２０４，Ｃ１２１５ａ〜Ｃ１２１５ｃは、既に説明した図１２における制御コマンドＣ１１０３ａ〜Ｃ１１０３ｄ，Ｃ１１０４，Ｃ１１１５ａ〜Ｃ１１１５ｃと同様のコマンドである。
【０１３８】
また、実施の形態５におけるレジューム情報生成部１２２１、レジューム情報制御部１２２２、レジューム情報取得部１２２３、レジューム情報自動取得部１２２４、及び記憶部１２２５は、実施の形態４におけるとレジューム情報生成部１１２１、レジューム情報制御部１１２２、レジューム情報取得部１１２３、レジューム情報自動取得部１１２４、及び記憶部１１２５と同様の機能を有する。また、図１７における制御コマンドＣ１２２２ａ，Ｃ１２２２ｂ，Ｃ１２２３，Ｃ１２２４は、既に説明した図１２における制御コマンドＣ１１２２ａ，Ｃ１１２２ｂ，Ｃ１１２３，Ｃ１１２４と同様のコマンドである。
【０１３９】
レジューム情報管理部１２２６は、レジューム情報取得部１２２３が取得した第１のレジューム情報Ｒ１及びレジューム情報自動取得部１２２４が取得した第２のレジューム情報Ｒ２の管理を行う。レジューム情報管理部１２２６は、レジューム再生時において、ユーザーが選択しやすいようにレジューム情報を整理する。レジューム情報管理部１２２６は、例えば、レジューム情報（第１のレジューム情報Ｒ１又は第２のレジューム情報Ｒ２）に自動取得又はユーザー操作による取得などの種別の情報の追加、又は、レジューム情報を取得できなかった箇所（例えば、レジューム再生禁止区間における再生停止操作があったときの再生停止操作位置）の情報の追加などを行う。また、レジューム情報管理部１２２６は、レジューム情報取得部１２２３が取得した第１のレジューム情報Ｒ１と記憶部１２２５に記憶されている第２のレジューム情報Ｒ２との照合を行ない、一致しない場合に、レジューム情報の統合処理又は追加処理などの取捨選択処理を行うこともできる。
【０１４０】
図１８（Ａ）〜（Ｄ）は、レジューム情報管理部１２２６におけるレジューム情報の管理方法の一例を示す。レジューム情報取得部１２２３からのレジューム情報は、一つだけの情報であるが、レジューム情報自動取得部１２２４が取得し、記録部１２２５に記録したレジューム情報は複数個ある。レジューム情報管理部１２２６では、これらの記録を比較し、レジュームに最適なポイントを管理する。例では、レジューム情報取得部１２２３と記録部１２２５に記録されているレジューム情報が異なっている。これは、レジューム情報取得部１２２３が何らかの原因で、再生時間１０：００以降でレジューム情報を取れなかった、もしくは、レジューム情報を取得できない状況に陥ったと考えられる。この時は、レジューム情報取得部１２２３が取得しているレジューム時刻と記録部１２２５のデータを比較し、再生したであろう時間まで取得している記録部１２２５のデータをレジューム情報としてレジューム再生することができる。
【０１４１】
また、本来レジューム再生が禁止されているタイトル、チャプター等のレジューム再生を行った場合、レジューム情報がないのでＦｉｒｓｔＰｌａｙ（タイトル、チャプター等の再生に当たり、タイトル、チャプター等に付随した情報により、最初に再生をするものと予め設定されている部分）から再生が行われてしまうが、レジューム情報管理部１２２６があることによってレジューム再生が可能なポイントを発見でき擬似レジューム再生ができるようになる。
【０１４２】
また、レジューム情報として、指定時間が経過した際に取ったレジューム情報と、特徴点抽出部１２１７によってレジューム取得処理が行われたレジューム情報とでは、特徴点抽出部１２１７によって取得したレジューム情報、例えば、シーンの変化時点のレジューム情報のほうが、時間指定等で取ったレジューム情報よりユーザーにとって重要なレジューム情報であることが多いので、特徴点抽出部１２１７のレジューム情報を有効なレジューム情報にするといった管理も行っている。
【０１４３】
また、レジューム情報管理部１２２６が、再生を再開する時に、手動レジューム情報と自動レジューム情報と特徴点レジューム情報の中から最後に登録したレジュームポイントを自動的に選択し、再生制御部１２０３が、選択されたレジュームポイントから再生を再開するようにしても良い。
【０１４４】
以上に説明したように、実施の形態５に係る再生装置１２００及び再生方法によれば、レジューム再生時に、再生停止操作位置から再生を再開することができ、また、再生停止操作位置から再生を再開することができない場合であっても、記憶部１２２５に記憶されている第２のレジューム情報Ｒ２に基づく位置から再生を再開することができる。このため、再生停止操作位置から再生を再開することができない場合であっても、再生停止操作位置から再生を再開するレジューム再生と同様の利便性をユーザーに提供することができる擬似レジューム再生の機能を実現できる。
【０１４５】
また、実施の形態５に係る再生装置１２００及び再生方法によれば、レジューム情報管理部１２２６によって、レジューム情報が、ユーザー操作による再生停止操作位置を示す第１のレジューム情報Ｒ１、レジューム情報自動取得部１２２４によって取得された第２のレジューム情報Ｒ２とを区別してレジューム情報を管理することができる。このため、レジューム情報が、ユーザー操作により取得されたレジューム再生箇所を示す情報であるか、又は、自動取得されたレジューム再生箇所を示す情報であるかを区別して記憶することができる。したがって、表示装置１４０１に表示されるレジューム再生の選択画面に、ユーザー操作によって取得されたレジューム情報であるか、又は、レジューム情報自動取得部１２２４によって取得されたレジューム情報であるかを区別する情報を追加表示することができる。このため、取得した複数のレジューム情報を表示装置１４０１に表示させ、ユーザー操作部１２０４の操作によってレジューム情報の一つをレジューム再生の開始位置として選択可能にした場合に、ユーザー操作を容易にすることができる。
【０１４６】
また、実施の形態５に係る再生装置１２００及び再生方法によれば、再生済みの部分については、一定の時間間隔で自動的にレジューム情報を生成するので、未再生箇所（未再生の範囲）や未視聴タイトルを容易に知ることができる。
【０１４７】
また、ユーザー操作による再生停止操作位置がレジューム再生禁止区間である場合は、通常はコンテンツの１番初めの位置から再生が開始されるが、実施の形態２に係る再生装置１２００によれば、レジューム情報を自動取得しているので、自動取得されたレジューム情報を元に再生開始位置を決めることができる。例えば、ＢＤ−Ｊ（Ｂｌｕ−ｒａｙ  Ｄｉｓｃ  Ｊａｖａ）タイトルなどのように本編すべてがレジューム再生禁止区間であるコンテンツであったとしても、タイトルの変更箇所でレジューム再生が可能であれば、レジューム再生における再生開始位置をタイトルの変更箇所とする再生を実現できる。
【０１４８】
なお、実施の形態５において、上記以外の点は、上記実施の形態４の場合と同じである。
【符号の説明】
【０１４９】
１００，２００，３００，１１００，１２００  再生装置、  １０１，２０１，３０１，１１０１，１２０１  再生手段、  １０２，２０２，３０２，１１０２，１２０２  レジューム機能手段、  １０３，２０３，３０３，１１０３，１２０３  再生制御部、  １０４，２０４，３０４，１１０４，１２０４  ユーザー操作部、  １１１，２１１，３１１，１１１１，１２１１  情報読取部、  １１２，２１２，３１２，１１１２，１２１２  ストリーム処理部、  １１３，２１３，３１３，１１１３，１２１３  ストリーム制御部、  １１４，２１４，３１４，１１１４，１２１４  デコーダー、  １１５，２１５，３１５，１１１５，１２１５  再生情報制御部、  １２１，２２１，３２１，１１２１，１２２１  レジューム情報生成部、  １２２，２２２，３２２，１１２２，１２２２  レジューム情報制御部、  １２３，２２３，３２３，１１２３，１２２３  レジューム情報取得部、  １２４，２２４，３２４，１１２４，１２２４  レジューム情報自動取得部、  １２５，２２５，３２５，１１２５，１２２５  記憶部、  １３１  イベント受信部、  １３２  時間判定部、  １３３  チャプター情報判定部、  １３４  タイトル情報判定部、  １３５  ＧＯＰ情報判定部、  １３６  レジューム情報一時取得部、  ２２６，３２６  レジューム情報管理部、  ３０８  電源時間管理部、  ３０９  電源部、  ４０１，１４０１  表示装置、  １１１７，１２１７  特徴点抽出部。
【図１】
2010055624.tif 000003
【図２】
2010055624.tif 000004
【図３】
2010055624.tif 000005
【図４】
2010055624.tif 000006
【図５】
2010055624.tif 000007
【図６】
2010055624.tif 000008
【図７】
2010055624.tif 000009
【図８】
2010055624.tif 000010
【図９】
2010055624.tif 000011
【図１０】
2010055624.tif 000012
【図１１】
2010055624.tif 000013
【図１２】
2010055624.tif 000014
【図１３】
2010055624.tif 000015
【図１４】
2010055624.tif 000016
【図１５】
2010055624.tif 000017
【図１６】
2010055624.tif 000018
【図１７】
2010055624.tif 000019
【図１８】
2010055624.tif 000020
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
映像音声信号を再生する再生手段と、
ユーザー操作による指示が入力されるユーザー操作手段と、
再生開始位置を管理するレジューム機能手段と、
前記再生手段及び前記レジューム機能手段を制御する制御手段とを有し、
前記レジューム機能手段は、
ユーザー操作を起点にした第１のレジューム情報を生成し記憶する第１のレジューム情報生成記憶手段と、
再生情報が切り替わったとき、又は、所定の再生時間毎に第２のレジューム情報を生成し記憶する第２のレジューム情報生成記憶手段とを有し、
前記制御手段は、前記第１のレジューム情報及び前記第２のレジューム情報が示す位置の中のいずれかの位置を選択し、前記再生手段に前記選択された位置から再生を再開させる手段を有し、
前記第１及び第２のレジューム情報生成記憶手段が、前記第１又は第２のレジューム情報の生成に失敗した場合には、前記再生を再開させる手段は、前記再生手段に、前記第１又は第２のレジューム情報生成記憶手段に既に記憶されている前記第１又は第２のレジューム情報に基づく位置から、再生を再開させる
ことを特徴とする再生装置。
【請求項２】
前記ユーザー操作は、再生、再生停止、早送り再生、巻き戻し再生、スロー再生、及びポーズを含む動作の切り替わりを指示する操作であることを特徴とする請求項１に記載の再生装置。
【請求項３】
前記再生情報が切り替わったときは、タイトルが切り替わったとき、チャプターが切り替わったとき、ＧＯＰ情報が切り替わったとき、映像を取得するカメラのアングルが切り替わったとき、及びピクチャーインピクチャーの表示・非表示が切り替わったときのいずれかを含むことを特徴とする請求項１又は２に記載の再生装置。
【請求項４】
前記再生を再開させる手段は、前記第１のレジューム情報が示す位置及び前記第２のレジューム情報が示す位置の中から、最後に生成されたレジューム情報に基づく位置から、前記再生を再開させることを特徴とする請求項１乃至３のいずれか１項に記載の再生装置。
【請求項５】
前記制御手段は、前記再生手段に、前記第１のレジューム情報が示す位置及び前記第２のレジューム情報が示す位置を再生再開候補位置として表示手段に表示させる手段と、前記ユーザー操作手段の操作によって、前記表示手段に表示された前記再生再開候補位置の中のいずれかを選択可能にする手段とを有し、
前記再生を再開させる手段は、前記ユーザー操作手段によって選択された前記再生再開候補位置から、前記再生を再開させる
ことを特徴とする請求項１乃至３のいずれか１項に記載の再生装置。
【請求項６】
前記レジューム機能手段は、前記第１のレジューム情報が、前記第２のレジューム情報のいずれかと一致するときに、前記第１のレジューム情報が示す位置を再生再開位置に決定するレジューム情報管理手段を有することを特徴とする請求項１乃至３のいずれか１項に記載の再生装置。
【請求項７】
前記再生装置の駆動電源がオンである時間を管理する電源時間管理手段を有し、
前記レジューム機能手段は、前記駆動電源がオンである時間が所定の基準時間より短いときに、直前の駆動電源オフ時に取得された前記第１のレジューム情報が示す位置を再生再開位置として扱わない手段を有する
ことを特徴とする請求項１乃至６のいずれか１項に記載の再生装置。
【請求項８】
映像音声信号を再生する再生手段と、ユーザー操作による指示が入力されるユーザー操作手段と、再生開始位置を管理するレジューム機能手段とを有する再生装置における再生方法であって、
ユーザー操作を起点にした第１のレジューム情報を生成し記憶するステップと、
再生情報が切り替わったとき、又は、所定の再生時間毎に第２のレジューム情報を生成し記憶するステップと、
前記第１のレジューム情報及び前記第２のレジューム情報が示す位置の中のいずれかの位置を選択し、前記再生手段に前記選択された位置から再生を再開させるステップとを有し、
前記第１又は第２のレジューム情報を生成し記憶するステップにおいて、前記第１又は第２のレジューム情報の生成に失敗した場合には、前記再生手段に、前記第１又は第２のレジューム情報を生成し記憶するステップにおいて既に記憶されている前記第１又は第２のレジューム情報に基づく位置から、再生を再開させる
ことを特徴とする再生方法。
【請求項９】
前記ユーザー操作は、再生、再生停止、早送り再生、巻き戻し再生、スロー再生、及びポーズを含む動作の切り替わりを指示する操作であることを特徴とする請求項８に記載の再生方法。
【請求項１０】
前記再生情報が切り替わったときは、タイトルが切り替わったとき、チャプターが切り替わったとき、ＧＯＰ情報が切り替わったとき、映像を取得するカメラのアングルが切り替わったとき、及びピクチャーインピクチャーの表示・非表示が切り替わったときのいずれかを含むことを特徴とする請求項８又は９に記載の再生方法。
【請求項１１】
前記再生を再開させるステップにおいて、前記第１のレジューム情報が示す位置及び前記第２のレジューム情報が示す位置の中から、最後に生成されたレジューム情報に基づく位置から、前記再生を再開させることを特徴とする請求項８乃至１０のいずれか１項に記載の再生方法。
【請求項１２】
前記第１のレジューム情報が示す位置及び前記第２のレジューム情報が示す位置を再生再開候補位置として表示手段に表示させるステップを有し、
前記再生を再開させるステップにおいて、前記ユーザー操作手段の操作によって、前記表示手段に表示された前記再生再開候補位置の中から選択された前記再生再開候補位置から、前記再生を再開させる
ことを特徴とする請求項８乃至１０のいずれか１項に記載の再生方法。
【請求項１３】
前記第１のレジューム情報が、前記第２のレジューム情報のいずれかと一致するときに、前記第１のレジューム情報が示す位置を再生再開位置に決定するステップを有することを特徴とする請求項８乃至１０のいずれか１項に記載の再生方法。
【請求項１４】
前記再生装置の駆動電源がオンである時間を管理するステップを有し、
前記再生を再開させるステップにおいて、前記駆動電源がオンである時間が所定の基準時間より短いときに、直前の駆動電源オフ時に取得された前記第１のレジューム情報が示す位置を再生再開位置として扱わない
ことを特徴とする請求項８乃至１３のいずれか１項に記載の再生方法。
【請求項１５】
記録媒体から映像音声データを読み出す手段と、
前記映像音声データの再生処理を行う映像音声再生手段と、
レジュームポイントを表す情報、及びこれに関連する情報をレジューム情報として記憶するレジューム情報記録手段と、
再生処理実行中に、ユーザー操作による再生処理中断指示に応じて前記再生処理実行を中断した場合、再生処理を中断した箇所を示す情報を、レジュームポイントを示す情報として、これと関連する情報とともに手動レジューム情報として取得し、前記レジューム情報記録手段に保存させるレジューム情報取得手段と、
入力映像、音声、及びメタデータを解析し特徴点を検出し、特徴点のある位置を示す情報をレジュームポイントを示す情報として、これと関連する情報とともに、特徴点レジューム情報として取得し、前記レジューム情報記録手段に保存させる手段と、
再生の中断後、再生を再開する時に、前記レジューム情報記録手段に記憶された複数のレジューム情報に含まれるレジュームポイントのうちのいずれかを選択させ、選択されたレジュームポイントから再生を再開させる手段とを有し、
前記手動レジューム情報及び前記特徴点レジューム情報が取得できない場合でも、前記再生を再開させる手段は、既に記憶されている前記手動レジューム情報又は前記特徴点レジューム情報又は前記自動レジューム情報に含まれるレジュームポイントから、再生を再開させる再生装置。
【請求項１６】
入力映像の変化点及びユーザー操作を検知した箇所を示す情報をレジュームポイントを示す情報として、関連する情報とともに、自動レジューム情報として取得して、前記レジューム情報記録手段に保存させる手段をさらに有する
ことを特徴とする請求項１５に記載の再生装置。
【請求項１７】
再生を再開する時に、手動レジューム情報と自動レジューム情報と特徴点レジューム情報の中から最後に登録したレジューム情報を自動的に選択する管理手段と、
選択されたレジューム情報で示されるレジュームポイントから再生を再開する手段とをさらに有する
ことを特徴とする請求項１６に記載の再生装置。
【請求項１８】
再生を再開する時に、
複数の手動レジューム情報と
複数の自動レジューム情報と
複数の特徴抽出点からのレジューム情報の中から
手動で任意のレジューム情報を選択し、
選択したレジューム情報で示されるレジュームポイントから再生を再開する手段をさらに備えることを特徴とする請求項１６に記載の再生装置。
【請求項１９】
前記レジューム情報記録手段が、揮発性のメモリで構成され、
前記揮発性のメモリへの電源供給が遮断されたときに、前記揮発性のメモリ内のレジューム情報を、バックアップ電源を用いて不揮発性のメモリに記録する
ことを特徴とする請求項１６に記載の再生装置。
【請求項２０】
レジュームポイントを表す情報、及びこれに関連する情報をレジューム情報として記憶するレジューム情報記録手段を備えた再生装置を用いて実施される再生方法において、
記録媒体から映像音声データを読み出すステップと、
前記映像音声データの再生処理を行う映像音声再生ステップと、
再生処理実行中に、ユーザー操作による再生処理中断指示に応じて前記再生処理実行を中断した場合、再生処理を中断した箇所を示す情報を、レジュームポイントを示す情報として、これと関連する情報とともに手動レジューム情報として取得し、前記レジューム情報記録手段に保存させるレジューム情報取得ステップと、
入力映像、音声、及びメタデータを解析し特徴点を検出し、特徴点のある位置を示す情報をレジュームポイントを示す情報として、これと関連する情報とともに、特徴点レジューム情報として取得し、前記レジューム情報記録手段に保存させるステップと、
再生の中断後、再生を再開する時に、前記レジューム情報記録手段に記憶された複数のレジューム情報に含まれるレジュームポイントのうちのいずれかを選択させ、選択されたレジュームポイントから再生を再開させるステップとを有し、
前記手動レジューム情報及び前記特徴点レジューム情報が取得できない場合でも、前記再生を再開させるステップにおいて、既に記憶されている前記手動レジューム情報又は前記特徴点レジューム情報又は前記自動レジューム情報に含まれるレジュームポイントから、再生を再開させる
再生方法。
【請求項２１】
入力映像の変化点及びユーザー操作を検知した箇所を示す情報をレジュームポイントを示す情報として、関連する情報とともに、自動レジューム情報として取得して、前記レジューム情報記録手段に保存させるステップをさらに有する
ことを特徴とする請求項２０に記載の再生方法。
【請求項２２】
再生を再開する時に、手動レジューム情報と自動レジューム情報と特徴点レジューム情報の中から最後に登録したレジューム情報を自動的に選択する管理ステップと、
選択されたレジューム情報で示されるレジュームポイントから再生を再開するステップとを
さらに有することを特徴とする請求項２１に記載の再生方法。
【請求項２３】
再生を再開する時に、
複数の手動レジューム情報と
複数の自動レジューム情報と
複数の特徴抽出点からのレジューム情報の中から
手動で任意のレジューム情報を選択し、
選択したレジューム情報で示されるレジュームポイントから再生を再開するステップをさらに有することを特徴とする請求項２１に記載の再生方法。
【請求項２４】
前記レジューム情報記録手段が、揮発性のメモリで構成され、
前記揮発性のメモリへの電源供給が遮断されたときに、前記揮発性のメモリ内のレジューム情報を、バックアップ電源を用いて不揮発性のメモリに記録する
ことを特徴とする請求項２１に記載の再生方法。
【手続補正２】
【補正対象書類名】明細書
【補正対象項目名】０００７
【補正方法】変更
【補正の内容】
【０００７】
本発明の再生装置は、映像音声信号を再生する再生手段と、ユーザー操作による指示が入力されるユーザー操作手段と、再生開始位置を管理するレジューム機能手段と、前記再生手段及び前記レジューム機能手段を制御する制御手段とを有し、前記レジューム機能手段は、ユーザー操作を起点にした第１のレジューム情報を生成し記憶する第１のレジューム情報生成記憶手段と、再生情報が切り替わったとき、又は、所定の再生時間毎に第２のレジューム情報を生成し記憶する第２のレジューム情報生成記憶手段とを有し、前記制御手段は、前記第１のレジューム情報及び前記第２のレジューム情報が示す位置の中のいずれかの位置を選択し、前記再生手段に前記選択された位置から再生を再開させる手段を有し、前記第１及び第２のレジューム情報生成記憶手段が、前記第１又は第２のレジューム情報の生成に失敗した場合には、前記再生を再開させる手段は、前記再生手段に、前記第１又は第２のレジューム情報生成記憶手段に既に記憶されている前記第１又は第２のレジューム情報に基づく位置から、再生を再開させることを特徴としている。
【手続補正３】
【補正対象書類名】明細書
【補正対象項目名】０００８
【補正方法】変更
【補正の内容】
【０００８】
また、本発明の再生方法は、映像音声信号を再生する再生手段と、ユーザー操作による指示が入力されるユーザー操作手段と、再生開始位置を管理するレジューム機能手段とを有する再生装置における再生方法であって、ユーザー操作を起点にした第１のレジューム情報を生成し記憶するステップと、再生情報が切り替わったとき、又は、所定の再生時間毎に第２のレジューム情報を生成し記憶するステップと、前記第１のレジューム情報及び前記第２のレジューム情報が示す位置の中のいずれかの位置を選択し、前記再生手段に前記選択された位置から再生を再開させるステップとを有し、前記第１又は第２のレジューム情報を生成し記憶するステップにおいて、前記第１又は第２のレジューム情報の生成に失敗した場合には、前記再生手段に、前記第１又は第２のレジューム情報を生成し記憶するステップにおいて既に記憶されている前記第１又は第２のレジューム情報に基づく位置から、再生を再開させることを特徴としている。
【手続補正４】
【補正対象書類名】明細書
【補正対象項目名】０００９
【補正方法】変更
【補正の内容】
【０００９】
また、本発明の他の再生装置は、記録媒体から映像音声データを読み出す手段と、前記映像音声データの再生処理を行う映像音声再生手段と、レジュームポイントを表す情報、及びこれに関連する情報をレジューム情報として記憶するレジューム情報記録手段と、再生処理実行中に、ユーザー操作による再生処理中断指示に応じて前記再生処理実行を中断した場合、再生処理を中断した箇所を示す情報を、レジュームポイントを示す情報として、これと関連する情報とともに手動レジューム情報として取得し、前記レジューム情報記録手段に保存させるレジューム情報取得手段と、入力映像、音声、及びメタデータを解析し特徴点を検出し、特徴点のある位置を示す情報をレジュームポイントを示す情報として、これと関連する情報とともに、特徴点レジューム情報として取得し、前記レジューム情報記録手段に保存させる手段と、再生の中断後、再生を再開する時に、前記レジューム情報記録手段に記憶された複数のレジューム情報に含まれるレジュームポイントのうちのいずれかを選択させ、選択されたレジュームポイントから再生を再開させる手段とを有し、前記手動レジューム情報及び前記特徴点レジューム情報が取得できない場合でも、前記再生を再開させる手段は、既に記憶されている前記手動レジューム情報又は前記特徴点レジューム情報又は前記自動レジューム情報に含まれるレジュームポイントから、再生を再開させることを特徴としている。
【手続補正５】
【補正対象書類名】明細書
【補正対象項目名】００４５
【補正方法】変更
【補正の内容】
【００４５】
レジューム情報取得処理（ステップＳ１２０）において、ユーザー操作があった場合（ステップＳ１１０）は、レジューム機能手段１０２は、処理をステップＳ１１１に進め、ユーザー操作がない場合（ステップＳ１１０）は処理をステップＳ１１４に進める。ステップＳ１１１において、レジューム情報制御部１２２は、ユーザー操作がレジューム情報取得動作であるか否かを判断する。ここで、レジューム情報取得動作とは、再生停止操作（電源オフによる再生停止処理を含む）などの操作である。ステップＳ１１１において、ユーザー操作がレジューム情報取得操作であると判定された場合は、再生制御部１０３は、レジューム機能手段１０２のレジューム情報取得部１２２に第１のレジューム情報Ｒ１を取得させる（ステップＳ１１２）。なお、ユーザー操作時に必ずレジューム情報を取得するように設定している場合には、レジューム情報制御部１２２は、ユーザー操作の都度、レジューム情報取得部１２２にレジューム情報を取得させる。レジューム情報制御部１２２は、レジューム情報を取得した（ステップＳ１１２）後、又は、レジューム情報取得動作でなかったとき（ステップＳ１１１）は、ユーザーの操作が実行された後に（ステップＳ１１３）、処理をステップＳ１１４に進める。
【手続補正６】
【補正対象書類名】明細書
【補正対象項目名】００４６
【補正方法】変更
【補正の内容】
【００４６】
ステップＳ１１４において、レジューム情報制御部１２２は、ストリームの状態変更の有無をチェックする。ストリーム状態が変更された場合は、処理をステップＳ１１５に進める。なお、ストリーム状態変更時にレジューム情報を取得しないように設定している場合は、レジューム情報制御部１２２は、処理をステップＳ１１６に進める。ここで、ストリーム状態変更とは、ＧＯＰの変化や、チャプターの切り替わり、タイトルの切り替わりなどを示す。また、ストリームの状態変更は、アングルが増えた場合、ＰＩＰの表示・非表示が切り替わったときなどを含んでもよい。
【手続補正７】
【補正対象書類名】明細書
【補正対象項目名】００５９
【補正方法】変更
【補正の内容】
【００５９】
実施の形態２においては、ステップＳ１０５においてレジューム情報が無いと判定されたとき、ステップＳ１０６においてレジューム再生をしないとき、又は、ステップＳ１０７においてレジューム情報を読み出すことができたときに、レジューム情報制御部２２２は、レジューム情報管理部２２６に問い合わせを行う（ステップＳ２０１）。次に、レジューム情報管理部２２６は、自動取得された第２のレジューム情報Ｒ２とステップＳ１０７で読出された第１のレジューム情報Ｒ１との一致判定を行い（ステップＳ２０２）、一致した場合は処理をステップＳ２０４に進め、一致しない場合は処理をステップＳ２０３に進める。レジューム情報管理部２２６は、ステップＳ２０３において、自動取得された第２のレジューム情報Ｒ２をレジューム情報取得部２２３が取得した第１のレジューム情報Ｒ１と比較し、いずれのレジューム情報を採用するかを判定する。レジューム情報管理部２２６は、ステップＳ２０４において、使用するレジューム情報を決定し、処理をステップＳ１０８に進める。上記以外の点については、図８における動作は、既に説明した図５における動作と同じである。
【手続補正８】
【補正対象書類名】明細書
【補正対象項目名】００７１
【補正方法】変更
【補正の内容】
【００７１】
また、実施の形態３に係る再生装置３００においては、レジューム情報制御部３２２によるレジューム情報管理部３２６への問い合わせは、ステップＳ１０５においてレジューム情報が無いと判定されたとき、ステップＳ１０６においてレジューム再生をしないとき、又は、ステップＳ１０７においてレジューム情報を読み出すことができたときに、行われる（ステップＳ２０１）。実施の形態３に係る再生装置３００においては、レジューム情報管理部３２６に対する問い合わせ（ステップＳ２０１）の後に、電源時間管理部３０８は、システムの起動時間を判定して（ステップＳ３０３）、起動時間情報Ｃ３０８をレジューム情報制御部３２２に送る。レジューム情報管理部３２６は、自動取得された第２のレジューム情報Ｒ２とステップＳ１０７で読出された第１のレジューム情報Ｒ１との一致判定を行い（ステップＳ２０２）、一致した場合は処理をステップＳ２０４に進め、一致しない場合は処理をステップＳ２０３に進める。レジューム情報管理部３２６は、ステップＳ２０３において、自動取得された第２のレジューム情報Ｒ２をレジューム情報取得部２２３が取得した第１のレジューム情報Ｒ１と比較し、いずれのレジューム情報を採用するかを判定する。レジューム情報管理部３２６は、ステップＳ３０４において、システムの起動時間を用いて、使用するレジューム情報を決定し、処理をステップＳ１０８に進める。実施の形態３に係る再生装置３００における他の動作は、実施の形態２に係る再生装置２００の動作と同様である。
【手続補正９】
【補正対象書類名】明細書
【補正対象項目名】００７５
【補正方法】変更
【補正の内容】
【００７５】
このように、実施の形態３に係る再生装置３００においては、電源時間管理部３０８で取得した時間データを使用し、基準時間Ｔ０よりも短い再生時間又は電源オン時間の後の再生停止位置（図１１（Ｂ）のＱＤ）をレジューム再生における再生開始位置（レジュームポイント）としては用いない。その代わりに、レジューム情報制御部３２２で前回のレジューム情報が示す再生停止位置ＱＣをレジューム再生における再生開始位置（レジュームポイント）として用いる。このような制御を行なう理由は、基準時間Ｔ０よりも短い再生箇所は、ユーザーが視聴のために再生開始を操作した箇所ではない（したがって、ユーザーが視聴していない）可能性が高いこと、又は、ユーザーが視聴のために再生開始を操作した箇所であったとしても非常に短い再生箇所は記憶に残りにくく再度視聴することが望ましいと考えられることである。したがって、実施の形態３に係る再生装置３００においては、基準時間Ｔ０よりも短い再生箇所を見逃さないようにすることができる。
【手続補正１０】
【補正対象書類名】明細書
【補正対象項目名】００９５
【補正方法】変更
【補正の内容】
【００９５】
レジューム情報制御部１１２２は、レジューム情報取得部１１２３からレジューム情報取得要求の制御コマンドＣ１１２３が発行されたとき又はレジューム情報自動取得部１１２４からレジューム情報取得要求の制御コマンドＣ１１２４が発行されたときに、レジューム情報生成部１１２１にレジューム情報取得要求の制御コマンドＣ１１２２ａを送り、要求したレジューム情報（第１のレジューム情報Ｒ１又は第２のレジューム情報Ｒ２）を取得して、レジューム情報取得部１１２３又はレジューム情報自動取得部１１２４に供給する。もしくは、特徴点抽出部１１１７からレジューム情報取得要求の制御コマンドＣＭＤ１３１が発行されたときに、レジューム情報生成部１１２１にレジューム情報を取得しにいく。また、レジューム情報制御部１１２２は、再生制御部１１０３からレジューム再生情報取得要求の制御コマンドＣ１１０３ｄを受け取ったときに、レジューム情報（第１のレジューム情報Ｒ１又は第２のレジューム情報Ｒ２）を記憶部１１２５から取得して再生制御部１１０３に送る。
【手続補正１１】
【補正対象書類名】明細書
【補正対象項目名】０１２１
【補正方法】変更
【補正の内容】
【０１２１】
図１６は、実施の形態４に係る再生装置１１００の動作（実施の形態４に係る再生方法）を概略的に示すフローチャートである。まず、再生装置（「システム」とも言う。）１１００に電源が投入されると、システムが起動される（ステップＳ１０１）。システム起動後、再生制御部１１０３は、システム電源の停止（「システム終了」とも言う。）の確認を行い（ステップＳ１０２）、システム終了の要求（電源オフ操作）が有れば、システム終了の処理を行なう（ステップＳ１０３）。また、再生制御部１１０３は、システム終了の確認において（ステップＳ１０２）、システム終了の要求が無ければ、レジューム情報自動取得部１１２４によるレジューム情報自動取得機能を起動させる（ステップＳ１０４）。なお、レジューム情報自動取得機能は、再生開始時点で起動してもよい。
【手続補正１２】
【補正対象書類名】明細書
【補正対象項目名】０１２２
【補正方法】変更
【補正の内容】
【０１２２】
次に、再生制御部１１０３は、レジューム情報制御部１１２２を介して記憶部１１２５にレジューム情報が有るか否かを確認する（ステップＳ１０５）。再生制御部１１０３は、レジューム情報が有る場合は、レジューム再生するか否かを確認し（ステップＳ１０６）、レジューム再生を選択する場合にはレジューム情報制御部１１２２を介して記憶部１１２５からレジューム情報を読み出す（ステップＳ１０７）。再生制御部１１０３は、記憶部１１２５にレジューム情報が有る場合には、レジューム再生を開始し、レジューム情報がない場合は通常再生を開始する（ステップＳ１０８）。次に、再生制御部１１０３は、再生手段１１０１にデコード処理を開始させる（ステップＳ１０９）。その後、特徴点を抽出し（ステップＳ１０９ａ）、特徴点を検出した場合は（ステップＳ１０９ｂ）、レジューム情報を取得して、映像音声信号Ｄ５を出力させる。
【手続補正１３】
【補正対象書類名】明細書
【補正対象項目名】０１２４
【補正方法】変更
【補正の内容】
【０１２４】
レジューム情報取得処理（ステップＳ１２０）において、ユーザー操作があった場合（ステップＳ１１０）は、レジューム機能手段１１０２は、処理をステップＳ１１１に進め、ユーザー操作がない場合（ステップＳ１１０）は処理をステップＳ１１４に進める。ステップＳ１１１において、レジューム情報制御部１１２２は、ユーザー操作がレジューム情報取得動作であるか否かを判断する。ここで、レジューム情報取得動作とは、再生停止操作（電源オフによる再生停止処理を含む）などの操作である。ステップＳ１１１において、ユーザー操作がレジューム情報取得操作であると判定された場合は、再生制御部１１０３は、レジューム機能手段１１０２のレジューム情報取得部１１２２に第１のレジューム情報Ｒ１を取得させる（ステップＳ１１２）。なお、ユーザー操作時に必ずレジューム情報を取得するように設定している場合には、レジューム情報制御部１１２２は、ユーザー操作の都度、レジューム情報取得部１１２２にレジューム情報を取得させる。レジューム情報制御部１１２２は、レジューム情報を取得した（ステップＳ１１２）後、又は、レジューム情報取得動作でなかったとき（ステップＳ１１１）は、ユーザーの操作が実行された後に（ステップＳ１１３）、処理をステップＳ１１４に進める。
【手続補正１４】
【補正対象書類名】明細書
【補正対象項目名】０１２５
【補正方法】変更
【補正の内容】
【０１２５】
ステップＳ１１４において、レジューム情報制御部１１２２は、ストリームの状態変更の有無をチェックする。ストリーム状態が変更された場合は、処理をステップＳ１１５に進める。なお、ストリーム状態変更時にレジューム情報を取得しないように設定している場合は、レジューム情報制御部１１２２は、処理をステップＳ１１６に進める。ここで、ストリーム状態変更とは、ＧＯＰの変化や、チャプターの切り替わり、タイトルの切り替わりなどを示す。また、ストリームの状態変更は、アングルが増えた場合、ＰＩＰの表示・非表示が切り替わったときなどを含んでもよい。
【国際調査報告】
2010055624.tif 000021
2010055624.tif 000022
2010055624.tif 000023
2010055624.tif 000024